(57)【特許請求の範囲】
【請求項１】
進化型ノードＢ（ｅＮＢ）によって、ワイヤレスネットワークへの、ダウンストリームリレーｅＮＢのための接続プロシージャ中に前記ダウンストリームリレーｅＮＢの識別子の少なくとも一部分を取得することと、
前記識別子の前記部分を、次のダウンストリームリレーｅＮＢの識別子とともにルーティングテーブルに記憶することと、ここで前記次のダウンストリームリレーｅＮＢは、前記ｅＮＢから前記ダウンストリームリレーｅＮＢへの通信経路内にある
前記接続プロシージャの一部として前記識別子の前記部分を前記次のダウンストリームリレーｅＮＢに送信することと
を備える、方法。
【請求項２】
前記識別子の前記部分を取得することが、前記ダウンストリームリレーｅＮＢの前記識別子の前記部分を生成することを含む、請求項１に記載の方法。
【請求項３】
前記接続プロシージャ中に前記識別子の前記部分の要求を前記ダウンストリームリレーｅＮＢから受信することをさらに備える、請求項２に記載の方法。
【請求項４】
前記識別子の前記部分を前記取得することが、前記識別子の前記部分をアップストリームｅＮＢから受信することを含む、請求項１に記載の方法。
【請求項５】
受信したパケットから前記識別子の前記部分を取得することと、
前記識別子の前記部分に関係する、前記ルーティングテーブル中の前記次のダウンストリームリレーｅＮＢの前記識別子の位置を特定することと、
前記受信したパケットを前記次のダウンストリームリレーｅＮＢに送信することと
をさらに備える、請求項１に記載の方法。
【請求項６】
前記識別子の前記部分を前記取得することが、前記受信したパケットのヘッダから前記識別子の前記部分を取得することを含み、前記受信したパケットがリレープロトコルレイヤパケットである、請求項５に記載の方法。
【請求項７】
進化型ノードＢ（ｅＮＢ）によって、ダウンストリームリレーｅＮＢのためのワイヤレスネットワーク接続プロシージャ中に前記ダウンストリームリレーｅＮＢの識別子の少なくとも一部分を取得することと、
前記識別子の前記部分と次のダウンストリームリレーｅＮＢの識別子との間の関連付けをルーティングテーブルに記憶することと、ここで前記次のダウンストリームリレーｅＮＢは、前記ｅＮＢから前記ダウンストリームリレーｅＮＢへの通信経路内にある、
前記ワイヤレスネットワーク接続プロシージャ中に前記識別子の前記部分を前記次のダウンストリームリレーｅＮＢに送信することと
を行うように構成された少なくとも１つのプロセッサと、
前記少なくとも１つのプロセッサに結合されたメモリと
を備える、ワイヤレス通信装置。
【請求項８】
前記少なくとも１つのプロセッサが、少なくとも部分的に前記ダウンストリームリレーｅＮＢの前記識別子の前記部分を生成することによって前記識別子の前記部分を取得する、請求項７に記載のワイヤレス通信装置。
【請求項９】
前記少なくとも１つのプロセッサが、前記ワイヤレスネットワーク接続プロシージャ中に前記ダウンストリームリレーｅＮＢの前記識別子の前記部分の要求を受信するようにさらに構成された、請求項８に記載のワイヤレス通信装置。
【請求項１０】
前記少なくとも１つのプロセッサが、前記識別子の前記部分をアップストリームｅＮＢから取得する、請求項７に記載のワイヤレス通信装置。
【請求項１１】
前記少なくとも１つのプロセッサが、
アップストリームノードから受信したパケットから前記識別子の前記部分を取得することと、
前記識別子の前記部分に関係する、前記ルーティングテーブル中の前記次のダウンストリームリレーｅＮＢの前記識別子の位置を特定することと、
前記パケットを前記次のダウンストリームリレーｅＮＢに送信することと
を行うようにさらに構成された、請求項７に記載のワイヤレス通信装置。
【請求項１２】
前記少なくとも１つのプロセッサが、前記パケットのヘッダから前記識別子の前記部分を取得し、前記パケットがリレープロトコルレイヤパケットである、請求項１１に記載のワイヤレス通信装置。
【請求項１３】
進化型ノードＢ（ｅＮＢ）によって、ワイヤレスネットワーク接続プロシージャ中にダウンストリームリレーｅＮＢの識別子の少なくとも一部分を取得するための手段と、
前記識別子の前記部分を、次のダウンストリームリレーｅＮＢの識別子とともにルーティングテーブルに記憶するための手段と、ここで前記次のダウンストリームリレーｅＮＢは、前記ｅＮＢから前記ダウンストリームリレーｅＮＢへの通信経路内にある、
取得するための前記手段が、さらに、前記識別子の前記部分を前記次のダウンストリームリレーｅＮＢにフォワーディングする、
を備える、装置。
【請求項１４】
前記識別子の前記部分を取得するための前記手段が、前記ダウンストリームリレーｅＮＢの前記識別子の前記部分を生成する、請求項１３に記載の装置。
【請求項１５】
前記ワイヤレスネットワーク接続プロシージャ中に前記識別子の前記部分の要求を前記ダウンストリームリレーｅＮＢから受信するための手段をさらに備える、請求項１４に記載の装置。
【請求項１６】
前記識別子の前記部分を取得するための前記手段が、前記識別子の前記部分をアップストリームｅＮＢから受信する、請求項１３に記載の装置。
【請求項１７】
受信したパケットから前記識別子の前記部分を取得し、前記受信したパケットを前記次のダウンストリームリレーｅＮＢに送信するための手段をさらに備え、前記識別子の前記部分を記憶するための前記手段が、前記識別子の前記部分に関連する、前記ルーティングテーブル中の前記次のダウンストリームリレーｅＮＢの前記識別子の位置を特定する、請求項１３に記載の装置。
【請求項１８】
前記受信したパケットから前記識別子の前記部分を取得するための前記手段が、前記受信したパケットのヘッダから前記識別子の前記部分を取得し、前記受信したパケットがリレープロトコルレイヤパケットである、請求項１７に記載の装置。
【請求項１９】
ワイヤレスネットワークへの、ダウンストリームリレー進化型ノードＢ（ｅＮＢ）のための接続プロシージャ中に前記ダウンストリームリレーｅＮＢの識別子の少なくとも一部分を取得することをｅＮＢと関連する少なくとも１つのコンピュータに行わせるためのコードと、
前記識別子の前記部分を、次のダウンストリームリレーｅＮＢの識別子とともにルーティングテーブルに記憶することを前記少なくとも１つのコンピュータに行わせるためのコードと、前記次のダウンストリームリレーｅＮＢは、前記ｅＮＢから前記ダウンストリームリレーｅＮＢへの通信経路内にある、  前記接続プロシージャの一部として前記識別子の前記部分を前記次のダウンストリームリレーｅＮＢに送信することを前記少なくとも１つのコンピュータに行わせるためのコードと
を記憶するコンピュータ可読記憶媒体。
【請求項２０】
前記識別子の前記部分を取得することを前記少なくとも１つのコンピュータに行わせるための前記コードが、前記ダウンストリームリレーｅＮＢの前記識別子の前記部分を生成する、請求項１９に記載のコンピュータ可読記憶媒体。
【請求項２１】
前記接続プロシージャ中に前記識別子の前記部分の要求を前記ダウンストリームリレーｅＮＢから受信することを前記少なくとも１つのコンピュータに行わせるためのコードをさらに備える、請求項２０に記載のコンピュータ可読記憶媒体。
【請求項２２】
前記識別子の前記部分を取得することを前記少なくとも１つのコンピュータに行わせるための前記コードが、前記識別子の前記部分をアップストリームｅＮＢから受信する、請求項１９に記載のコンピュータ可読記憶媒体。
【請求項２３】
受信したパケットから前記識別子の前記部分を取得することを前記少なくとも１つのコンピュータに行わせるためのコードと、
前記識別子の前記部分に関係する、前記ルーティングテーブル中の前記次のダウンストリームリレーｅＮＢの前記識別子の位置を特定することを前記少なくとも１つのコンピュータに行わせるためのコードと、
前記受信したパケットを前記次のダウンストリームリレーｅＮＢに送信することを前記少なくとも１つのコンピュータに行わせるためのコードと
をさらに備える、請求項１９に記載のコンピュータ可読記憶媒体。
【請求項２４】
前記識別子の前記部分を取得することを前記少なくとも１つのコンピュータに行わせるためのコードが、前記受信したパケットのヘッダから前記識別子の前記部分を取得し、前記受信したパケットがリレープロトコルレイヤパケットである、請求項２３に記載のコンピュータ可読記憶媒体。
【請求項２５】
ワイヤレスネットワーク接続プロシージャ中にダウンストリームリレー進化型ノードＢ（ｅＮＢ）の識別子の少なくとも一部分を取得するｅＮＢのＩＤ割当て構成要素と、
前記識別子の前記部分を、次のダウンストリームリレーｅＮＢの識別子とともにルーティングテーブルに記憶するルーティングテーブル構成要素と、ここで前記次のダウンストリームリレーｅＮＢは、前記ｅＮＢから前記ダウンストリームリレーｅＮＢへの通信経路内にある、
前記ＩＤ割当て構成要素が、さらに、前記識別子の前記部分を前記次のダウンストリームリレーｅＮＢにフォワーディングする
を備える、装置。
【請求項２６】
前記ＩＤ割当て構成要素が、前記ダウンストリームリレーｅＮＢの前記識別子の前記部分を生成する、請求項２５に記載の装置。
【請求項２７】
前記ワイヤレスネットワーク接続プロシージャ中に前記識別子の前記部分の要求を前記ダウンストリームリレーｅＮＢから受信するＩＤ要求受信構成要素をさらに備える、請求項２６に記載の装置。
【請求項２８】
前記ＩＤ割当て構成要素が、前記識別子の前記部分をアップストリームｅＮＢから受信するＩＤ要求／応答フォワーディング構成要素である、請求項２５に記載の装置。
【請求項２９】
受信したパケットから前記識別子の前記部分を取得し、前記受信したパケットを前記次のダウンストリームリレーｅＮＢに送信するリレープロトコル構成要素をさらに備え、前記ルーティングテーブル構成要素が、前記識別子の前記部分に関連する、前記ルーティングテーブル中の前記次のダウンストリームリレーｅＮＢの前記識別子の位置を特定する、請求項２５に記載の装置。
【請求項３０】
前記ルーティングテーブル構成要素が、前記受信したパケットのヘッダから前記識別子の前記部分を取得し、前記受信したパケットがリレープロトコルレイヤパケットである、請求項２９に記載の装置。
【請求項３１】
前記ＩＤ割当て構成要素がトンネルエンドポイント識別子（ＴＥＩＤ）割当て構成要素であり、前記識別子がＴＥＩＤである、請求項２５に記載の装置。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２００８年１０月２４日に出願された「CELL RELAY BASE STATION FOR LTE」と題する仮出願第６１／１０８，２８７号の優先権を主張する。
【技術分野】
【０００２】
以下の説明は、一般にワイヤレス通信に関し、より詳細には、セルリレーのためのワイヤレスネットワーク接続プロシージャに関する。
【背景技術】
【０００３】
ワイヤレス通信システムは、たとえばボイス、データなど、様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、ｔｈｉｒｄ  ｇｅｎｅｒａｔｉｏｎ  ｐａｒｔｎｅｒｓｈｉｐ  ｐｒｏｊｅｃｔ（３ＧＰＰ）、３ＧＰＰ  ｌｏｎｇ  ｔｅｒｍ  ｅｖｏｌｕｔｉｏｎ（ＬＴＥ）、ｕｌｔｒａ  ｍｏｂｉｌｅ  ｂｒｏａｄｂａｎｄ（ＵＭＢ）などの仕様、および／またはｅｖｏｌｕｔｉｏｎ  ｄａｔａ  ｏｐｔｉｍｉｚｅｄ（ＥＶ−ＤＯ）、その１つまたは複数のリビジョンなどのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の送信を介して１つまたは複数のアクセスポイント（たとえば、基地局）と通信することができる。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどを介して確立できる。しかしながら、アクセスポイントは地理的カバレージエリアならびにリソースが制限されることがあり、カバレージのエッジの近くのモバイルデバイスおよび／または高トラフィックのエリア中のデバイスがアクセスポイントからの通信品質の劣化を受けることがある。
【０００５】
モバイルデバイスとアクセスポイントとの間の通信を可能にすることによってネットワーク容量およびカバレージエリアを拡張するために、セルリレーを与えることができる。たとえば、あるセルリレーが、いくつかのセルリレーへのアクセスを与えることができるドナーアクセスポイントとのバックホールリンクを確立することができ、そのセルリレーは、１つまたは複数のモバイルデバイスまたは追加のセルリレーとのアクセスリンクを確立することができる。バックエンドコアネットワーク構成要素の修正を軽減するために、Ｓ１−Ｕなどの通信インターフェースはドナーアクセスポイントにおいて終了することができる。したがって、ドナーアクセスポイントは、バックエンドネットワーク構成要素にとっては通常のアクセスポイントのように見える。この目的で、ドナーアクセスポイントは、バックエンドネットワーク構成要素からのパケットを、モバイルデバイスに通信するためにセルリレーにルーティングすることができる。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびその対応する開示に従って、セルリレーをワイヤレスネットワークに接続することを可能にすることに関して様々な態様を説明する。特に、セルリレーは、ドナーノードおよび／または１つまたは複数の中間セルリレーを介してワイヤレスネットワークとの接続を確立するために、ユーザ機器（ＵＥ）または他のデバイスと同様の接続プロシージャを実行することができる。一例では、セルリレーは、ドナーノードおよび／または１つまたは複数の中間セルリレーを介したセルリレーへのパケットの後続のルーティングを可能にするために、接続中にセルリレーの識別子を要求するか、または場合によっては確立することができる。
【０００８】
関係する態様によれば、アップストリームｅＮＢを使用してワイヤレスネットワークへの接続プロシージャを開始することと、接続プロシージャ中にアップストリームｅＮＢとともに識別子の少なくとも一部分を確立することとを含む方法を提供する。本方法は、上記識別子の上記部分に少なくとも部分的に基づいてアップストリームｅＮＢから１つまたは複数のパケットを受信することをさらに含む。
【０００９】
別の態様はワイヤレス通信装置に関する。本ワイヤレス通信装置は、アップストリームｅＮＢにワイヤレスネットワークへの接続を要求することと、接続中にアップストリームｅＮＢとともに識別子の少なくとも一部分を確立することとを行うように構成された少なくとも１つのプロセッサを含むことができる。上記少なくとも１つのプロセッサは、上記識別子の上記部分に少なくとも部分的に基づいてアップストリームｅＮＢから１つまたは複数のパケットを受信するようにさらに構成される。本ワイヤレス通信装置は、上記少なくとも１つのプロセッサに結合されたメモリをも備える。
【００１０】
さらに別の態様は装置に関する。本装置は、アップストリームｅＮＢを介してワイヤレスネットワークに接続するための手段と、接続中にアップストリームｅＮＢとともに識別子の少なくとも一部分を確立するための手段とを含む。本装置はまた、上記識別子の上記部分に少なくとも部分的に基づいてアップストリームｅＮＢから受信した１つまたは複数のパケットをフォワーディングするための手段を含む。
【００１１】
さらに別の態様は、アップストリームｅＮＢを使用してワイヤレスネットワークへの接続プロシージャを開始することを少なくとも１つのコンピュータに行わせるためのコードを含むコンピュータ可読媒体を有することができるコンピュータプログラム製品に関する。コンピュータ可読媒体は、接続プロシージャ中にアップストリームｅＮＢとともに識別子の少なくとも一部分を確立することを少なくとも１つのコンピュータに行わせるためのコードと、上記識別子の上記部分に少なくとも部分的に基づいてアップストリームｅＮＢから１つまたは複数のパケットを受信することを少なくとも１つのコンピュータに行わせるためのコードとをも備えることができる。
【００１２】
その上、追加の態様は、アップストリームｅＮＢとともにワイヤレスネットワークへの接続プロシージャを実行する接続要求構成要素を含む装置に関する。本装置は、接続中にアップストリームｅＮＢとともに識別子の少なくとも一部分を確立するＩＤ要求構成要素と、上記識別子の上記部分に少なくとも部分的に基づいてアップストリームｅＮＢから受信した１つまたは複数のパケットをフォワーディングするパケットルーティング構成要素とをさらに含むことができる。
【００１３】
別の態様によれば、ワイヤレスネットワークへの、ダウンストリームリレーｅＮＢのための接続プロシージャ中に上記ダウンストリームリレーｅＮＢの識別子の少なくとも一部分を取得することを含む方法を提供する。本方法は、上記識別子の上記部分を、上記ダウンストリームリレーｅＮＢへの通信経路における次のダウンストリームリレーｅＮＢの識別子とともにルーティングテーブルに記憶することと、接続プロシージャの一部として上記識別子の上記部分を上記次のダウンストリームリレーｅＮＢに送信することとをさらに含む。
【００１４】
別の態様はワイヤレス通信装置に関する。本ワイヤレス通信装置は、ダウンストリームリレーｅＮＢのためのワイヤレスネットワーク接続プロシージャ中に上記ダウンストリームリレーｅＮＢの識別子の少なくとも一部分を取得することと、上記識別子の上記部分と、上記ダウンストリームリレーｅＮＢへの通信経路における次のダウンストリームリレーｅＮＢの識別子との間の関連付けをルーティングテーブルに記憶することとを行うように構成された少なくとも１つのプロセッサを含むことができる。上記少なくとも１つのプロセッサは、ワイヤレスネットワーク接続プロシージャ中に上記識別子の上記部分を上記次のダウンストリームリレーｅＮＢに送信するようにさらに構成される。本ワイヤレス通信装置は、上記少なくとも１つのプロセッサに結合されたメモリをも備える。
【００１５】
さらに別の態様は装置に関する。本装置は、ワイヤレスネットワーク接続プロシージャ中にダウンストリームリレーｅＮＢの識別子の少なくとも一部分を取得するための手段を含む。本装置はまた、上記識別子の上記部分を、上記ダウンストリームリレーｅＮＢへの通信経路における次のダウンストリームリレーｅＮＢの識別子とともにルーティングテーブルに記憶するための手段であって、取得するための上記手段が、さらに、上記識別子の上記部分を上記次のダウンストリームリレーｅＮＢにフォワーディングする、記憶するための手段を含む。
【００１６】
さらに別の態様は、ワイヤレスネットワークへの、ダウンストリームリレーｅＮＢのための接続プロシージャ中に上記ダウンストリームリレーｅＮＢの識別子の少なくとも一部分を取得することを少なくとも１つのコンピュータに行わせるためのコードを含むコンピュータ可読媒体を有することができるコンピュータプログラム製品に関する。コンピュータ可読媒体は、上記識別子の上記部分を、上記ダウンストリームリレーｅＮＢへの通信経路における次のダウンストリームリレーｅＮＢの識別子とともにルーティングテーブルに記憶することを少なくとも１つのコンピュータに行わせるためのコードと、接続プロシージャの一部として上記識別子の上記部分を上記次のダウンストリームリレーｅＮＢに送信することを少なくとも１つのコンピュータに行わせるためのコードとをも備えることができる。
【００１７】
その上、追加の態様は、ワイヤレスネットワーク接続プロシージャ中にダウンストリームリレーｅＮＢの識別子の少なくとも一部分を取得するＩＤ割当て構成要素を含む装置に関する。本装置は、上記識別子の上記部分を、上記ダウンストリームリレーｅＮＢへの通信経路における次のダウンストリームリレーｅＮＢの識別子とともにルーティングテーブルに記憶するルーティングテーブル構成要素であって、ＩＤ割当て構成要素が、さらに、上記識別子の上記部分を上記次のダウンストリームリレーｅＮＢにフォワーディングする、ルーティングテーブル構成要素をさらに含むことができる。
【００１８】
上記および関連する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１９】
【図１】ワイヤレスネットワークのためのリレーを提供することを可能にする例示的なワイヤレス通信システムの図。
【図２】ネットワーク接続中にリレーｅＮＢの識別子を確立することを可能にする例示的なワイヤレス通信システムの図。
【図３】ネットワーク接続中にリレーｅＮＢの識別子の複数のプレフィックスを確立することを可能にする例示的なワイヤレス通信システムの図。
【図４】ネットワーク接続中に識別子割当てを要求することを可能にする例示的なワイヤレス通信システムの図。
【図５】ネットワークに接続するときにリレー識別子を確立することを可能にする例示的なワイヤレス通信システムの図。
【図６】ネットワーク接続中にリレー識別子割当てを要求する例示的なワイヤレス通信システムの図。
【図７】ワイヤレスネットワークへのアクセスを与えるためにセルリレーを利用する例示的なワイヤレス通信システムの図。
【図８】データプレーン通信のためのセルリレー機能を提供することを可能にする例示的なプロトコルスタックの図。
【図９】リレープロトコルを使用してデータプレーン通信のためのセルリレー機能を提供することを可能にする例示的なプロトコルスタックの図。
【図１０】ネットワーク接続中に識別子を確立する例示的な方法の図。
【図１１】ネットワーク接続中に確立された識別子を与える例示的な方法の図。
【図１２】本明細書に記載の様々な態様によるワイヤレス通信システムの図。
【図１３】本明細書で説明する様々なシステムおよび方法とともに採用できる例示的なワイヤレスネットワーク環境の図。
【図１４】ネットワーク接続中に後続のパケットルーティングのために識別子を確立することを可能にする例示的なシステムの図。
【図１５】ネットワーク接続中に確立された識別子を１つまたは複数のダウンストリームノードに供給することを可能にする例示的なシステムの図。
【発明を実施するための形態】
【００２０】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００２１】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信することができる。
【００２２】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、（１つまたは複数の）ワイヤレス端末と通信するために利用でき、アクセスポイント、ノードＢ、または何らかの他の用語で呼ばれることもある。
【００２３】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２４】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ  などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができる。
【００２５】
いくつかのデバイス、構成要素、モジュールなどを含むことができるシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００２６】
図１を参照すると、ワイヤレスネットワークにおいてリレー機能を提供することを可能にするワイヤレス通信システム１００が示されている。システム１００は、リレーｅＮＢ１０４などの１つまたは複数のリレーｅＮＢにコアネットワーク１０６へのアクセスを与えるドナーｅＮＢ１０２を含む。同様に、リレーｅＮＢ１０４は、ドナーｅＮＢ１０２を介して、リレーｅＮＢ１０８などの１つまたは複数の異種リレーｅＮＢまたはＵＥ１１０などのＵＥにコアネットワーク１０６へのアクセスを与えることができる。クラスタｅＮＢと呼ばれることもあるドナーｅＮＢ１０２は、ＬＴＥまたは他の技術バックホールリンクとすることができるワイヤードまたはワイヤレスバックホールリンクを介してコアネットワーク１０６と通信することができる。一例では、コアネットワーク１０６は、３ＧＰＰ  ＬＴＥまたは同様の技術ネットワークとすることができる。
【００２７】
ドナーｅＮＢ１０２は、さらに、同じくワイヤードまたはワイヤレスの、ＬＴＥまたは他の技術とすることができるアクセスリンクをリレーｅＮＢ１０４に与えることができ、リレーｅＮＢ１０４は、ドナーｅＮＢ１０２のアクセスリンクを介してバックホールリンクを使用してドナーｅＮＢ１０２と通信することができる。リレーｅＮＢ１０４は、同様に、ワイヤードまたはワイヤレスのＬＴＥまたは他の技術リンクとすることができるアクセスリンクをリレーｅＮＢ１０８および／またはＵＥ１１０に与えることができる。一例では、ドナーｅＮＢ１０２はＬＴＥアクセスリンクを与えることができ、リレーｅＮＢ１０４はＬＴＥバックホールを使用してＬＴＥアクセスリンクに接続することができ、リレーｅＮＢ１０４はリレーｅＮＢ１０８および／またはＵＥ１１０にＬＴＥアクセスリンクを与えることができる。ドナーｅＮＢ１０２は、異種バックホールリンク技術を介してコアネットワーク１０６に接続することができる。リレーｅＮＢ１０８および／またはＵＥ１１０は、説明したように、コアネットワーク１０６へのアクセスを受信するためにＬＴＥアクセスリンクを使用してリレーｅＮＢ１０４に接続することができる。本明細書では、ドナーｅＮＢと接続されたリレーｅＮＢとを集合的にクラスタと呼ぶことがある。
【００２８】
一例によれば、リレーｅＮＢ１０４は、通常ＬＴＥ構成中のＵＥのように、リンクレイヤ（たとえば、媒体アクセス制御（ＭＡＣ）レイヤ）においてドナーｅＮＢ１０２に接続することができる。この点について、ドナーｅＮＢ１０２は、リレーｅＮＢ１０４をサポートするためにリンクレイヤまたは関係するインターフェース（たとえば、Ｅ−ＵＴＲＡ−Ｕｕ）において変更を必要としない通常ＬＴＥ  ｅＮＢとすることができる。さらに、リレーｅＮＢ１０４は、たとえば、ＵＥ１１０がリンクレイヤにおいてリレーｅＮＢ１０４に接続するための変更が必要とされないように、リンクレイヤにおいてＵＥ１１０には通常ｅＮＢのように見えるようにすることができる。さらに、リレーｅＮＢ１０４は、アクセスとバックホールリンクとの間のリソース分割、干渉管理、クラスタのアイドルモードセル選択などのプロシージャを構成することができる。
【００２９】
トランスポートレイヤ通信に関して、リレーｅＮＢ１０８またはＵＥ１１０の通信に関係するトランスポートプロトコルはドナーｅＮＢ１０２において終了することができ、これは、リレーｅＮＢ１０４がドナーｅＮＢ１０２のセルと同様であるので、セルリレー機能と呼ばれる。たとえば、セルリレー構成では、ドナーｅＮＢ１０２は、コアネットワーク１０６からリレーｅＮＢ１０４に対する通信を受信し、トランスポートプロトコルを終了し、アプリケーションレイヤを実質的にそのままに保つ異種トランスポートレイヤを介してリレーｅＮＢ１０４に通信をフォワーディングすることができる。フォワーディングトランスポートプロトコルタイプは、終了されたトランスポートプロトコルタイプと同じとすることができるが、リレーｅＮＢ１０４とともに確立される異なるトランスポートレイヤであることを諒解されたい。
【００３０】
リレーｅＮＢ１０４は、上記通信に関係するリレーｅＮＢまたはＵＥを判断することができ、（たとえば、上記通信内のその識別子に基づいて）リレーｅＮＢまたはＵＥに上記通信を供給することができる。同様に、ドナーｅＮＢ１０２は、リレーｅＮＢ１０４から受信した通信のトランスポートレイヤプロトコルを終了し、上記通信を異種トランスポートプロトコルに変換し、セルリレーとしてのリレーｅＮＢ１０４に対してアプリケーションレイヤをそのままの状態で、異種トランスポートプロトコルを介してコアネットワーク１０６に上記通信を送信することができる。これらの例では、リレーｅＮＢ１０４が別のリレーｅＮＢと通信している場合、リレーｅＮＢ１０４は、通信が確実に正しいリレーｅＮＢに到達するようにするためにアプリケーションプロトコルルーティングをサポートすることができる。
【００３１】
さらに、アプリケーションレイヤプロトコルはアップストリームｅＮＢにおいて終了することができる。したがって、たとえば、リレーｅＮＢ１０８およびＵＥ１１０に対するアプリケーションレイヤプロトコルはリレーｅＮＢ１０４において終了することができ、同様に、リレーｅＮＢ１０４に対するアプリケーションレイヤプロトコルはドナーｅＮＢ１０２において終了することができる。トランスポートおよびアプリケーションレイヤプロトコルは、たとえば、Ｓ１−Ｕ、Ｓ１−ＭＭＥ、および／またはＸ２インターフェースに関係することがある。Ｓ１−Ｕインターフェースは、ノードとコアネットワーク１０６のサービングゲートウェイ（図示せず）との間のデータプレーン中で通信するために利用できる。Ｓ１−ＭＭＥインターフェースは、ノードとコアネットワーク１０６のモビリティ管理エンティティ（ＭＭＥ）（図示せず）との間の制御プレーン通信に利用できる。Ｘ２インターフェースは、ｅＮＢ間の通信に利用できる。さらに、たとえば、ドナーｅＮＢ１０２は、アクセスネットワークを介して相互に通信することを可能にするために他のリレーｅＮＢと通信することができる（たとえば、リレーｅＮＢ１０４は、ドナーｅＮＢ１０２に接続された１つまたは複数の追加のリレーｅＮＢと通信することができる）。
【００３２】
最初に、リレーｅＮＢ１０４は、コアネットワーク１０６へのアクセスを受信するためにドナーｅＮＢ１０２に接続することができる。一例では、リレーｅＮＢ１０４は、ｅＮＢ１０２とともにＵＥと同様の接続プロシージャを実行することができる。接続プロシージャの一部として、たとえば、リレーｅＮＢ１０４はドナーｅＮＢ１０２とともに識別子を確立することができる。一例では、ドナーｅＮＢ１０２は識別子の一部分をリレーｅＮＢ１０４に割り当てることができる。追加または代替として、リレーｅＮＢ１０４は識別子の一部分を生成することができる。別の例では、リレーｅＮＢ１０４は、ある識別子を要求することができる。いずれの場合も、ドナーｅＮＢ１０２は、リレーｅＮＢ１０４の確立された識別子と、リレーｅＮＢ１０４への通信経路における次のダウンストリームリレーｅＮＢ（この例では、リレーｅＮＢ１０４）の無線識別子（たとえば、セル無線ネットワーク一時識別子（Ｃ−ＲＮＴＩ））との間の関連付けを記憶することができる。その後、ドナーｅＮＢ１０２は、リレーｅＮＢ１０４の確立された識別子をコアネットワーク１０６との通信中に含めることができ、コアネットワーク１０６は、その確立された識別子を、リレーｅＮＢ１０４のための応答するまたは他の関係する通信中に含めることができる。コアネットワーク１０６からそのような通信を受信すると、ドナーｅＮＢ１０２は、その確立された識別子を抽出し、記憶された関連付けからダウンストリームｅＮＢの無線識別子を判断することができる。ドナーｅＮＢ１０２は、それに応じて、無線識別子を使用してパケットをリレーｅＮＢ１０４にルーティングすることができる。
【００３３】
別の例では、リレーｅＮＢ１０８が、コアネットワーク１０６へのアクセスのためにリレーｅＮＢ１０４に接続することができる。同様に、ドナーｅＮＢ１０２およびリレーｅＮＢ１０８は、説明したように、接続プロシージャ中にリレーｅＮＢ１０８の識別子を確立することができる。ドナーｅＮＢ１０２は、リレーｅＮＢ１０８の確立された識別子と、次のダウンストリームｅＮＢの無線識別子との間の関連付けを記憶することができ、この例では、上記次のダウンストリームｅＮＢはリレーｅＮＢ１０４である。さらに、リレーｅＮＢ１０４は、リレーｅＮＢ１０８の確立された識別子と、リレーｅＮＢ１０８への通信経路におけるリレーｅＮＢ１０４の次のダウンストリームリレーｅＮＢとの間の関連付けを記憶することができ、この例では、上記次のダウンストリームリレーｅＮＢはリレーｅＮＢ１０８である。したがって、ドナーｅＮＢ１０２は、同様に、リレーｅＮＢ１０８の確立された識別子を有する着信パケットをコアネットワーク１０６からリレーｅＮＢ１０４にルーティングすることができ、リレーｅＮＢ１０４は、その確立された識別子に基づいてそのパケットをリレーｅＮＢ１０８にルーティングすることができる。
【００３４】
一例によれば、その確立された識別子は、ドナーｅＮＢ１０２によって割り当てられるトンネルエンドポイント識別子（ＴＥＩＤ）であり得る。別の例では、リレーｅＮＢ１０８のＴＥＩＤは、ドナーｅＮＢ１０２によって割り当てられたプレフィックス部分と、リレーｅＮＢ１０８によって割り当てられたサフィックス部分とを含むことができる（またはその逆も同様）。実際、ドナーｅＮＢ１０２によって生成された部分とリレーｅＮＢ１０８によって生成された部分との実質的に任意のアルゴリズムの組合せを利用することができる。したがって、たとえば、リレーｅＮＢ１０８は接続プロシージャ中にドナーｅＮＢ１０２にＴＥＩＤプレフィックスを要求することができる。その後、リレーｅＮＢ１０８は、リレーｅＮＢ１０８に接続されたＵＥに関係するＴＥＩＤのサフィックス部分を指定することができる。この例では、ドナーｅＮＢ１０２は、リレーｅＮＢ１０４を介してリレーｅＮＢ１０８から受信した要求に基づいて、プレフィックスおよびサフィックスをもつＴＥＩＤ全体をコアネットワーク１０６に送信することができる。コアネットワーク１０６からの応答を受信すると、ドナーｅＮＢ１０２は、説明したように、ＴＥＩＤプレフィックスに基づいてリレーｅＮＢ１０４を介してパケットをリレーｅＮＢ１０８にルーティングすることができ、リレーｅＮＢ１０８は、その応答を受信すると、サフィックスを利用して、そのパケットを該当するＵＥにルーティングすることができる。
【００３５】
別の例では、リレーｅＮＢ１０８からの通信経路におけるリレーｅＮＢおよびドナーｅＮＢは、それぞれ、ＴＥＩＤの一部分においてプレフィックスを割り当てることができる。したがって、前の例を使用すると、リレーｅＮＢ１０４およびドナーｅＮＢ１０２は、接続プロシージャ中にリレーｅＮＢ１０８からの要求時にＴＥＩＤのプレフィックス部分をリレーｅＮＢ１０８に割り当てることができる。この点について、ＴＥＩＤをもつパケットを受信すると、ドナーｅＮＢ１０２は、そのプレフィックス部分を抽出し、（たとえば、上記で説明したように、ルーティングテーブルを介して）そのパケットをリレーｅＮＢ１０４に関連付け、そのパケットをリレーｅＮＢ１０４に送信することができる。同様に、リレーｅＮＢ１０４は、そのＴＥＩＤの部分を抽出し、（たとえば、上記で説明したように、ルーティングテーブルを介して）そのパケットをリレーｅＮＢ１０８に関連付け、そのパケットをリレーｅＮＢ１０８に送信することができる。リレーｅＮＢ１０８は、説明したように、適切な場合、割り当てられたサフィックスに基づいて、そのパケットをＵＥまたは他のデバイスにフォワーディングすることができる。
【００３６】
さらに別の例では、ドナーｅＮＢ１０２は、リレーｅＮＢ１０８などの各リレーｅＮＢに対してＴＥＩＤを割り当てることができる。この例では、ドナーｅＮＢ１０２とリレーｅＮＢ１０４は、両方とも、説明したように、リレーｅＮＢ１０８のための接続中に、ＴＥＩＤを次のダウンストリームリレーｅＮＢのＣ−ＲＮＴＩとともに記憶する。同様に、一例では、リレーｅＮＢ１０８はＴＥＩＤの割当てを要求することができ、ドナーｅＮＢ１０２は、リレーｅＮＢ１０８のための接続中にその要求を受け付けるかまたは拒否することができる。一例では、ドナーｅＮＢ１０２は、（たとえば、ＴＥＩＤが使用中または無効であるので）ＴＥＩＤを拒否した場合、使用可能なＴＥＩＤをその拒否において与えることができる。いずれの場合も、たとえば、上記で説明した、ドナーｅＮＢ１０２がＴＥＩＤを割り当てる場合と同様のルーティングを利用することができる。その上、確立された識別子は、本明細書で説明するように、リレーｅＮＢ１０８とドナーｅＮＢ１０２、ならびに中間リレーｅＮＢとの間の通信を可能にするために新たに定義されたリレープロトコルにおいて利用できることを諒解されたい。
【００３７】
次に図２を参照すると、後続のパケットルーティングのために接続中にセルリレー識別子を確立することを可能にする例示的なワイヤレス通信システム２００が示されている。システム２００は、リレーｅＮＢ１０４（および／または他のリレーｅＮＢ）にコアネットワーク１０６へのアクセスを与えるドナーｅＮＢ１０２を含む。さらに、説明したように、リレーｅＮＢ１０４は、ドナーｅＮＢ１０２を介して、リレーｅＮＢ１０８にコアネットワーク１０６へのアクセスを与えることができる。ただし、一例では、リレーｅＮＢ１０４が存在しないことがあり、リレーｅＮＢ１０８はドナーｅＮＢ１０２と直接通信することができる。同様の例では、複数のリレーｅＮＢ１０４がドナーｅＮＢ１０２とリレーｅＮＢ１０８との間にあることがある。さらに、リレーｅＮＢ１０８は、一例では、リレーｅＮＢ１０４の構成要素を備え、同様の機能を提供することができることを諒解されたい。その上、ドナーｅＮＢ１０２は、マクロセルアクセスポイント、フェムトセルアクセスポイント、ピコセルアクセスポイント、モバイル基地局などとすることができる。リレーｅＮＢ１０４（およびリレーｅＮＢ１０８）は、同様に、説明したように、ワイヤレスまたはワイヤードバックホールを介してドナーｅＮＢ１０２（およびリレーｅＮＢ１０４）と通信するモバイルまたは固定リレーノードとすることができる。
【００３８】
ドナーｅＮＢ１０２は、１つまたは複数のリレーｅＮＢからネットワーク接続の要求を取得する接続要求受信構成要素２０２と、リレーｅＮＢからＴＥＩＤまたはその一部分の要求を取得するＴＥＩＤ要求受信構成要素２０４と、リレーｅＮＢのＴＥＩＤまたはその一部分を確立するＴＥＩＤ割当て構成要素２０６と、ＴＥＩＤまたは関係する部分を関係するダウンストリームリレーｅＮＢの識別子（たとえば、Ｃ−ＲＮＴＩ）に関連付けるルーティングテーブルを維持するルーティングテーブル構成要素２０８と、リレーｅＮＢの接続後、パケットにおいて指定されるＴＥＩＤまたはその一部分に基づいてコアネットワーク１０６から受信したパケットをルーティングするパケットルーティング構成要素２１０とを備える。
【００３９】
リレーｅＮＢ１０４は、アップストリームｅＮＢと１つまたは複数のリレーｅＮＢとの間で接続情報を通信する接続プロシージャフォワーディング構成要素２１２と、ＴＥＩＤ要求をアップストリームｅＮＢに供給し、１つまたは複数のダウンストリームｅＮＢのための確立されたＴＥＩＤ応答をアップストリームｅＮＢから取得するＴＥＩＤ要求／応答フォワーディング構成要素２１４と、確立されたＴＥＩＤまたはその部分と関係するダウンストリームリレーｅＮＢの識別子（たとえば、Ｃ−ＲＮＴＩ）との間の関連付けを記憶するルーティングテーブル構成要素２１６と、パケットにおいて指定されるＴＥＩＤまたはその部分に少なくとも部分的に基づいてパケットをアップストリームｅＮＢからダウンストリームリレーｅＮＢにフォワーディングするパケットルーティング構成要素２１８とを含むことができる。
【００４０】
リレーｅＮＢ１０８は、ワイヤレスネットワークの１つまたは複数の構成要素とともに接続プロシージャを開始する接続要求構成要素２２０と、ドナーｅＮＢとともにＴＥＩＤまたはその部分を確立するＴＥＩＤ要求構成要素２２２と、接続後、アップストリームリレーｅＮＢから受信したパケットをＵＥまたは他のダウンストリームデバイスにルーティングするパケットルーティング構成要素２２４とを備える。
【００４１】
一例によれば、接続要求構成要素２２０は、存在する場合はリレーｅＮＢ１０４を介して、接続要求をドナーｅＮＢ１０２に送信することによって、ワイヤレスネットワークへの接続を開始することができる。接続プロシージャフォワーディング構成要素２１２は、接続要求を受信し、その要求をドナーｅＮＢ１０２にフォワーディングすることができる。いずれの場合も、接続要求受信構成要素２０２は、その要求を取得し、コアネットワーク１０６において接続プロシージャを開始することができる。たとえば、リレーｅＮＢ１０８は、最初に（たとえば、ランダムアクセスプロシージャによって）、存在する場合はリレーｅＮＢ１０４から通信リソースを受信し、またはリレーｅＮＢ１０４が存在しない場合はドナーｅＮＢ１０２から通信リソースを受信し、（たとえば、ＲＲＣ接続セットアップメッセージを送信することによって）それとともに無線通信を確立することができることを諒解されたい。一例によれば、その接続プロシージャは、ドナーｅＮＢ１０２に接続するＵＥの接続プロシージャと同様のものとすることができる。この点について、コアネットワーク１０６はリレーｅＮＢ１０８を認証することができ、リレーｅＮＢ１０８は、本明細書でさらに詳細に説明する、様々なベアラ要求メッセージ、接続受付け／完了メッセージ、ＲＲＣ接続再構成メッセージなどを介して接続できる。接続要求構成要素２２０は、存在する場合はリレーｅＮＢ１０４および／または追加の中間リレーｅＮＢの接続プロシージャフォワーディング構成要素２１２を介してそのようなメッセージを送信し、そのようなメッセージを接続要求受信構成要素２０２から受信することができることを諒解されたい。
【００４２】
さらに、コアネットワーク１０６またはその１つまたは複数の構成要素は、接続プロシージャ中にＩＰアドレスおよび／またはｅＮＢグローバル識別子（ＥＧＩ）をリレーｅＮＢ１０８に割り当てることができる。接続プロシージャの一部として、ＴＥＩＤ要求構成要素２２２は、ＴＥＩＤまたはその部分の確立の要求を、存在する場合はリレーｅＮＢ１０４に送信し、またはリレーｅＮＢ１０４が存在しない場合はドナーｅＮＢ１０２に送信することによって、ドナーｅＮＢ１０２にＴＥＩＤまたはその部分の確立を要求することができる。リレーｅＮＢ１０４が存在する場合、ＴＥＩＤ要求／応答フォワーディング構成要素２１４は、ＴＥＩＤ確立要求をドナーｅＮＢ１０２にフォワーディングすることができる。いずれの場合も、ＴＥＩＤ要求受信構成要素２０４は、その要求を取得することができ、ＴＥＩＤ割当て構成要素２０６はＴＥＩＤを確立することができる。たとえば、ＴＥＩＤ確立要求が、プレフィックスなどのＴＥＩＤ部分を確立することに関係することがあることを諒解されたい。別の例では、ＴＥＩＤ確立要求は、特定のＴＥＩＤまたはＴＥＩＤ部分の使用を要求することに関係することがある。その上、一例では、ＴＥＩＤ確立要求は、ＴＥＩＤ全体の割当てを要求することに関係することがある。いずれの場合も、ＴＥＩＤ割当て構成要素２０６は、ＴＥＩＤまたは関係する部分を生成し、確立要求において受信された場合はそのＴＥＩＤまたは部分を確認し、および／あるいは確立要求におけるＴＥＩＤまたは部分がリレーｅＮＢ１０８によって使用可能でない（たとえば、別のｅＮＢに割り当てられている、仕様に準拠していない、など）場合は使用可能なＴＥＩＤまたは部分を与えることができる。
【００４３】
リレーｅＮＢ１０８のＴＥＩＤまたは関係する部分が確立されると、ルーティングテーブル構成要素２０８は、ＴＥＩＤと、リレーｅＮＢ１０８への通信経路における次のダウンストリームリレーｅＮＢとの間の関連付けを記憶することができ、この例では、上記次のダウンストリームリレーｅＮＢは、存在する場合はリレーｅＮＢ１０４であり、またはリレーｅＮＢ１０４が存在しない場合はリレーｅＮＢ１０８である。一例では、ルーティングテーブルは以下と同様のフォーマットを有することがある。
【表１】
0005579895.tif 000002
【００４４】
リレーｅＮＢ１０４が存在する場合、ＴＥＩＤ割当て構成要素２０６は、ＴＥＩＤまたは関係する部分をリレーｅＮＢ１０４に送信することができる。ＴＥＩＤ要求／応答フォワーディング構成要素２１４は、ＴＥＩＤまたは関係する部分を受信することができ、ルーティングテーブル構成要素２１６は、ＴＥＩＤを、リレーｅＮＢ１０８への通信経路における次のダウンストリームリレーｅＮＢに対する関連付けとともに記憶することができ、この例では、上記次のダウンストリームリレーｅＮＢはリレーｅＮＢ１０８である。追加の中間リレーｅＮＢが存在する場合、リレーｅＮＢ１０４はＴＥＩＤまたは関係する部分を中間リレーｅＮＢにフォワーディングすることができ、中間リレーｅＮＢは、同様に、そのＴＥＩＤまたは部分をダウンストリームリレーｅＮＢに関連付けるルーティングテーブルにそのＴＥＩＤまたは部分を記憶することができる。この例では、ＴＥＩＤ要求／応答フォワーディング構成要素２１４はＴＥＩＤをリレーｅＮＢ１０８に供給することができる。ＴＥＩＤ要求構成要素２２２は、その確立されたＴＥＩＤを受信することができる。ＴＥＩＤ割当て後のある時点で、接続プロシージャは完了することができる。
【００４５】
その後、ＴＥＩＤまたは関係する部分を利用して、パケットをリレーｅＮＢ１０８にルーティングすることができる。たとえば、ドナーｅＮＢ１０２は、コアネットワーク１０６への要求において（一例では、リレーｅＮＢ１０８によって生成された一部分とともに）ＴＥＩＤまたは関係する部分を指定することができる。コアネットワーク１０６は、ＴＥＩＤまたは関係する部分とともに応答パケットをドナーｅＮＢ１０２に送信することができる。ルーティングテーブル構成要素２０８は、ＴＥＩＤまたは部分に基づいて、そのパケットについて次のダウンストリームリレーｅＮＢを判断することができ、この例では、上記次のダウンストリームリレーｅＮＢは、存在する場合はリレーｅＮＢ１０４であり得る。パケットルーティング構成要素２１０は、そのパケットをリレーｅＮＢ１０４に送信することができる。ルーティングテーブル構成要素２１６は、同様に、ＴＥＩＤまたは部分に基づいて次のダウンストリームリレーｅＮＢを判断することができ、この例では、上記次のダウンストリームリレーｅＮＢはリレーｅＮＢ１０８であり、パケットルーティング構成要素２１８は、そのパケットをリレーｅＮＢ１０８にフォワーディングすることができる。パケットルーティング構成要素２２４は、その後、そのＴＥＩＤまたは部分、あるいは、たとえば、ドナーｅＮＢ１０２への要求において指定される異なるＴＥＩＤ部分に基づいて、そのパケットをＵＥ１１０にルーティングすることができることを諒解されたい。一例では、これは、ＴＥＩＤ部分、またはリレーｅＮＢ１０８によって作成され、ドナーｅＮＢ１０２への要求中に含まれる部分をＵＥ１１０および／または関係するベアラの識別子にマッピングする、同様のルーティングテーブルに基づくことがある。
【００４６】
次に図３を参照すると、後続のパケットルーティングのために接続中にセルリレー識別子を確立することを可能にする例示的なワイヤレス通信システム３００が示されている。システム３００は、リレーｅＮＢ１０４（および／または他のリレーｅＮＢ）にコアネットワーク１０６へのアクセスを与えるドナーｅＮＢ１０２を含む。さらに、説明したように、リレーｅＮＢ１０４は、ドナーｅＮＢ１０２を介して、リレーｅＮＢ１０８にコアネットワーク１０６へのアクセスを与えることができる。ただし、一例では、リレーｅＮＢ１０４が存在しないことがあり、リレーｅＮＢ１０８はドナーｅＮＢ１０２と直接通信することができる。同様の例では、複数のリレーｅＮＢ１０４がドナーｅＮＢ１０２とリレーｅＮＢ１０８との間にあることがある。さらに、リレーｅＮＢ１０８は、一例では、リレーｅＮＢ１０４の構成要素を備え、同様の機能を提供することができることを諒解されたい。その上、ドナーｅＮＢ１０２は、マクロセルアクセスポイント、フェムトセルアクセスポイント、ピコセルアクセスポイント、モバイル基地局などとすることができる。リレーｅＮＢ１０４（およびリレーｅＮＢ１０８）は、同様に、説明したように、ワイヤレスまたはワイヤードバックホールを介してドナーｅＮＢ１０２（およびリレーｅＮＢ１０４）と通信するモバイルまたは固定リレーノードとすることができる。
【００４７】
ドナーｅＮＢ１０２は、１つまたは複数のリレーｅＮＢからネットワーク接続の要求を取得する接続要求受信構成要素２０２と、リレーｅＮＢからＴＥＩＤまたはその一部分の要求を取得するＴＥＩＤ要求受信構成要素２０４と、ドナーｅＮＢ１０２に固有のＴＥＩＤプレフィックス部分を作成するＴＥＩＤプレフィックス生成構成要素３０２と、ＴＥＩＤまたは関係する部分を関係するダウンストリームリレーｅＮＢの識別子（たとえば、Ｃ−ＲＮＴＩ）に関連付けるルーティングテーブルを維持するルーティングテーブル構成要素２０８と、リレーｅＮＢの接続後、パケットにおいて指定されるＴＥＩＤまたはその一部分に基づいてコアネットワーク１０６から受信したパケットをルーティングするパケットルーティング構成要素２１０とを備える。
【００４８】
リレーｅＮＢ１０４は、アップストリームｅＮＢと１つまたは複数のリレーｅＮＢとの間で接続情報を通信する接続プロシージャフォワーディング構成要素２１２と、リレーｅＮＢからＴＥＩＤ要求を取得し、その要求をアップストリームｅＮＢにフォワーディングするＴＥＩＤ要求受信構成要素３０４と、後続のパケットルーティングのためにＴＥＩＤプレフィックス部分を作成するＴＥＩＤプレフィックス生成構成要素３０６と、確立されたＴＥＩＤまたはその部分と関係するダウンストリームリレーｅＮＢの識別子（たとえば、Ｃ−ＲＮＴＩ）との間の関連付けを記憶するルーティングテーブル構成要素２１６と、パケットにおいて指定されるＴＥＩＤまたはその部分に少なくとも部分的に基づいてパケットをアップストリームｅＮＢからダウンストリームリレーｅＮＢにフォワーディングするパケットルーティング構成要素２１８とを含むことができる。
【００４９】
リレーｅＮＢ１０８は、ワイヤレスネットワークの１つまたは複数の構成要素とともに接続プロシージャを開始する接続要求構成要素２２０と、ドナーｅＮＢとともにＴＥＩＤまたはその部分を確立するＴＥＩＤ要求構成要素２２２と、接続後、アップストリームリレーｅＮＢから受信したパケットをＵＥまたは他のダウンストリームデバイスにルーティングするパケットルーティング構成要素２２４とを備える。
【００５０】
一例によれば、接続要求構成要素２２０は、存在する場合はリレーｅＮＢ１０４を介して、接続要求をドナーｅＮＢ１０２に送信することによって、ワイヤレスネットワークへの接続を開始することができる。接続プロシージャフォワーディング構成要素２１２は、接続要求を受信し、その要求をドナーｅＮＢ１０２にフォワーディングすることができる。いずれの場合も、接続要求受信構成要素２０２は、その要求を取得し、コアネットワーク１０６において接続プロシージャを開始することができる。たとえば、リレーｅＮＢ１０８は、最初に（たとえば、ランダムアクセスプロシージャによって）、存在する場合はリレーｅＮＢ１０４から通信リソースを受信し、またはリレーｅＮＢ１０４が存在しない場合はドナーｅＮＢ１０２から通信リソースを受信し、（たとえば、ＲＲＣ接続セットアップメッセージを送信することによって）それとともに無線通信を確立することができることを諒解されたい。一例によれば、その接続プロシージャは、ドナーｅＮＢ１０２に接続するＵＥの接続プロシージャと同様のものとすることができる。この点について、コアネットワーク１０６はリレーｅＮＢ１０８を認証することができ、リレーｅＮＢ１０８は、本明細書でさらに詳細に説明する、様々なベアラ要求メッセージ、接続受付け／完了メッセージ、ＲＲＣ接続再構成メッセージなどを介して接続できる。接続要求構成要素２２０は、存在する場合はリレーｅＮＢ１０４および／または追加の中間リレーｅＮＢの接続プロシージャフォワーディング構成要素２１２を介してそのようなメッセージを送信し、そのようなメッセージを接続要求受信構成要素２０２から受信することができることを諒解されたい。
【００５１】
さらに、コアネットワーク１０６またはその１つまたは複数の構成要素は、接続プロシージャ中にＩＰアドレスおよび／またはｅＮＢグローバル識別子（ＥＧＩ）をリレーｅＮＢ１０８に割り当てることができる。接続プロシージャの一部として、ＴＥＩＤ要求構成要素２２２は、ＴＥＩＤまたはその部分の確立の要求を、存在する場合はリレーｅＮＢ１０４に送信し、またはリレーｅＮＢ１０４が存在しない場合はドナーｅＮＢ１０２に送信することによって、ＴＥＩＤまたはその部分の確立を要求することができる。ＴＥＩＤ要求受信構成要素３０４は、そのＴＥＩＤ要求を取得することができる。ＴＥＩＤプレフィックス生成構成要素３０６は、リレーｅＮＢ１０４に固有のＴＥＩＤプレフィックス部分を作成することができる。さらに、ルーティングテーブル構成要素２１６は、後続のパケットルーティングのために、ＴＥＩＤプレフィックス部分と、次のダウンストリームリレーｅＮＢ（この例では、リレーｅＮＢ１０８）の識別子との間の関連付けを記憶することができる。ＴＥＩＤ要求受信構成要素３０４はＴＥＩＤ確立要求をドナーｅＮＢ１０２にフォワーディングすることができる。ＴＥＩＤ要求受信構成要素２０４は、その要求を取得することができ、ＴＥＩＤプレフィックス生成構成要素３０２は、ドナーｅＮＢ１０２に固有のＴＥＩＤプレフィックスの異なる部分を作成することができる。同様に、ルーティングテーブル構成要素２０８は、その異なるＴＥＩＤプレフィックス部分と、次のダウンストリームリレーｅＮＢ１０４（存在する場合はリレーｅＮＢ１０４）の識別子との間の関連付けを記憶することができる。さらに、たとえば、ＴＥＩＤプレフィックス生成構成要素３０２は完全なＴＥＩＤをリレーｅＮＢ１０４にフォワーディングすることができる。この例では、ＴＥＩＤ要求受信構成要素３０４は、完全なＴＥＩＤを取得し、それをリレーｅＮＢ１０８にフォワーディングすることができ、リレーｅＮＢ１０８は、ＴＥＩＤ要求構成要素２２２を介してそのＴＥＩＤを受信することができる。
【００５２】
その後、ＴＥＩＤまたは関係するプレフィックスを利用して、パケットをリレーｅＮＢ１０８にルーティングすることができる。たとえば、ドナーｅＮＢ１０２は、コアネットワーク１０６への要求において（一例では、リレーｅＮＢ１０８によって生成された一部分を有し得る）ＴＥＩＤを指定することができる。コアネットワーク１０６は、ＴＥＩＤまたは関係する部分とともに応答パケットをドナーｅＮＢ１０２に送信することができる。ルーティングテーブル構成要素２０８は、ＴＥＩＤプレフィックス生成構成要素３０２によって生成されたＴＥＩＤプレフィックス部分に基づいて、そのパケットについて次のダウンストリームリレーｅＮＢを判断することができ、この例では、上記次のダウンストリームリレーｅＮＢは、存在する場合はリレーｅＮＢ１０４であり得る。パケットルーティング構成要素２１０は、そのパケットをリレーｅＮＢ１０４に送信することができる。ルーティングテーブル構成要素２１６は、同様に、ＴＥＩＤプレフィックス生成構成要素３０６によって生成されたＴＥＩＤプレフィックス部分に基づいて次のダウンストリームリレーｅＮＢを判断することができ、この例では、上記次のダウンストリームリレーｅＮＢはリレーｅＮＢ１０８であり、パケットルーティング構成要素２１８は、そのパケットをリレーｅＮＢ１０８にフォワーディングすることができる。パケットルーティング構成要素２２４は、その後、そのＴＥＩＤまたは部分、あるいは、たとえば、ドナーｅＮＢ１０２への要求において指定される異なるＴＥＩＤ部分に基づいて、そのパケットをＵＥ１１０にルーティングすることができることを諒解されたい。一例では、これは、ＴＥＩＤ部分、またはリレーｅＮＢ１０８によって作成され、ドナーｅＮＢ１０２への要求中に含まれる部分をＵＥ１１０および／または関係するベアラの識別子にマッピングする、同様のルーティングテーブルに基づくことがある。
【００５３】
図４を参照すると、ワイヤレスネットワークへの接続中にＴＥＩＤを要求することを可能にする例示的なワイヤレス通信システム４００が示されている。システム４００は、ワイヤレスネットワークへのアクセスを受信するためにリレーｅＮＢ１  ４０４と通信するリレーｅＮＢ２  ４０２を含む。リレーｅＮＢ１  ４０４は、説明したように、ネットワーク構成要素へのアクセスを受信するためにドナーｅＮＢ４０６と通信する。図示のワイヤレスネットワーク構成要素はＭＭＥ４０８およびＳＧＷ／ＰＧＷ４１０を含む。図示のように、リレーｅＮＢ２  ４０２は接続要求４１２をリレーｅＮＢ１  ４０４に送信することができる。リレーｅＮＢ２  ４０２は、最初に（たとえば、ランダムアクセスプロシージャ、ＲＲＣ接続セットアップメッセージなどによって）リレーｅＮＢ１  ４０４から通信リソースを受信しておくことができることを諒解されたい。リレーｅＮＢ１  ４０４は接続要求４１４をドナーｅＮＢ４０６にフォワーディングすることができ、ドナーｅＮＢ４０６は接続要求４１６をＭＭＥ４０８にフォワーディングすることができる。それに応答して、ＭＭＥ４０８は、リレーｅＮＢ２  ４０２がワイヤレスネットワークにアクセスすることが許可されるようにするために、リレーｅＮＢ２  ４０２とともに認証／セキュリティプロシージャ４１８を開始することができる。
【００５４】
ＭＭＥ４０８は、リレーｅＮＢ２  ４０２が許可されたと判断すると、ＳＧＷ／ＰＧＷ４１０へのデフォルトベアラ作成要求４２０を開始することができる。ＳＧＷ／ＰＧＷ４１０は、デフォルトベアラを作成し、デフォルトベアラ作成４２２をＭＭＥ４０８に送信することができる。ＭＭＥ４０８は、それに応じて、接続受付け４２４をドナーｅＮＢ４０６に送信することができる。ドナーｅＮＢ４０６は接続受付け４２６をリレーｅＮＢ１  ４０４にフォワーディングすることができ、リレーｅＮＢ１  ４０４は接続受付け４２８をリレーｅＮＢ２  ４０２にフォワーディングすることができる。リレーｅＮＢ２  ４０２は、接続受付け４２８に対してリレーｅＮＢ１  ４０４への接続完了４３０で肯定応答することができる。リレーｅＮＢ１  ４０４は接続完了４３２をドナーｅＮＢ４０６にフォワーディングすることができ、ドナーｅＮＢ４０６は接続完了４３４をＭＭＥ４０８にフォワーディングすることができる。接続完了４３４を受信すると、ＭＭＥ４０８はベアラ更新要求４３６をＳＧＷ／ＰＧＷ４１０に送信することができ、ＳＧＷ／ＰＧＷ４１０は、ベアラ更新要求４３６に対してＭＭＥ４０８へのベアラ更新応答４３８で肯定応答することができる。
【００５５】
その後、リレーｅＮＢ２  ４０２はＳＧＷ／ＰＧＷ４１０からＩＰアドレス４４０を収集することができる。この点について、リレーｅＮＢ２  ４０２は、ＵＥと同様にワイヤレスネットワークへの接続プロシージャを実行することができる。ただし、追加として、リレーｅＮＢ２  ４０２は、ＳＧＷ／ＰＧＷ４１０から（たとえば、ＳＧＷ／ＰＧＷ４１０を介して運用、管理、および保守（ＯＡＭ）エンティティから）ＥＧＩ４４２を取得することができる。ＥＧＩを受信した後、リレーｅＮＢ２  ４０２は、リレーｅＮＢ１  ４０４とともにＳ１インターフェースを確立するために、Ｓ１セットアップ要求４４４をリレーｅＮＢ１  ４０４に送信することができる。一例では、リレーｅＮＢ２  ４０２は、Ｓ１アプリケーションプロトコル（Ｓ１−ＡＰ）メッセージの後続のルーティングのために、ＥＧＩをＳ１セットアップ要求中に含めることができる。リレーｅＮＢ１  ４０４はＳ１セットアップ要求４４６をドナーｅＮＢ４０６にフォワーディングすることができ、ドナーｅＮＢ４０６はＳ１セットアップ要求４４８をＭＭＥ４０８にフォワーディングすることができる。さらに、リレーｅＮＢ２  ４０２は、説明したように、ＴＥＩＤプレフィックス要求４５０をリレーｅＮＢ１  ４０４に送信することができ、リレーｅＮＢ１  ４０４はＴＥＩＤプレフィックス要求４５２をドナーｅＮＢ４０６にフォワーディングすることができる。
【００５６】
ドナーｅＮＢ４０６は、前述のように、ＴＥＩＤプレフィックスを生成することができる。別の例では、リレーｅＮＢ４０４は、説明したように、さらにＴＥＩＤプレフィックス部分を生成することができる。さらに、説明したように、ドナーｅＮＢ４０６は、ＴＥＩＤプレフィックスとリレーｅＮＢ１  ４０４（たとえば、次のダウンストリームリレーｅＮＢ）の識別子との間の関連付けを記憶することができる。ドナーｅＮＢ４０６は、ＴＥＩＤプレフィックスを備えるＴＥＩＤプレフィックス割当て４５４をリレーｅＮＢ１  ４０４に送信することができる。リレーｅＮＢ１  ４０４は、同様に、ＴＥＩＤプレフィックスとリレーｅＮＢ２  ４０２（たとえば、次のダウンストリームリレーｅＮＢ）との間の関連付けを記憶することができる。別の例では、リレーｅＮＢ１  ４０４がまたＴＥＩＤプレフィックス部分を割り当てる場合、リレーｅＮＢ１  ４０４は、割り当てたＴＥＩＤのその部分とリレーｅＮＢ２  ４０２の識別子との間の関連付けを記憶することができる。いずれの場合も、リレーｅＮＢ１  ４０４はＴＥＩＤプレフィックス割当て４５６（たとえば、ドナーｅＮＢ４０６によって生成された、または、および／またはリレーｅＮＢ１  ４０４によって生成された部分）をリレーｅＮＢ  ４０２に送信することができる。Ｓ１インターフェースを確立すると、ＭＭＥ４０８はＳ１セットアップ応答４５８をドナーｅＮＢ４０６に送信することができる。ドナーｅＮＢ４０６はＳ１セットアップ応答４６０をリレーｅＮＢ１  ４０４にフォワーディングすることができ、リレーｅＮＢ１  ４０４はＳ１セットアップ応答４６２をリレーｅＮＢ４０２にフォワーディングすることができる。このようにして、リレーｅＮＢ４０２は、ワイヤレスネットワークへの接続中にＴＥＩＤ割当てを要求することができる。
【００５７】
次に図５を参照すると、ワイヤレスネットワークへの接続中にリレー識別子を要求することを可能にする例示的なワイヤレス通信システム５００が示されている。システム５００は、リレーｅＮＢ１０４（および／または他のリレーｅＮＢ）にコアネットワーク１０６へのアクセスを与えるドナーｅＮＢ１０２を含む。さらに、説明したように、リレーｅＮＢ１０４は、ドナーｅＮＢ１０２を介して、リレーｅＮＢ１０８にコアネットワーク１０６へのアクセスを与えることができる。ただし、一例では、リレーｅＮＢ１０４が存在しないことがあり、リレーｅＮＢ１０８はドナーｅＮＢ１０２と直接通信することができる。同様の例では、複数のリレーｅＮＢ１０４がドナーｅＮＢ１０２とリレーｅＮＢ１０８との間にあることがある。さらに、リレーｅＮＢ１０８は、一例では、リレーｅＮＢ１０４の構成要素を備え、同様の機能を提供することができることを諒解されたい。その上、ドナーｅＮＢ１０２は、マクロセルアクセスポイント、フェムトセルアクセスポイント、ピコセルアクセスポイント、モバイル基地局などとすることができる。リレーｅＮＢ１０４（およびリレーｅＮＢ１０８）は、同様に、説明したように、ワイヤレスまたはワイヤードバックホールを介してドナーｅＮＢ１０２（およびリレーｅＮＢ１０４）と通信するモバイルまたは固定リレーノードとすることができる。
【００５８】
ドナーｅＮＢ１０２は、１つまたは複数のリレーｅＮＢからネットワーク接続の要求を取得する接続要求受信構成要素２０２と、リレープロトコルに関係するリレー識別子の要求をリレーｅＮＢから取得するＩＤ要求受信構成要素５０２と、リレー識別子をリレーｅＮＢに割り振るＩＤ割当て構成要素５０４と、リレー識別子を関係するダウンストリームリレーｅＮＢの識別子（たとえば、Ｃ−ＲＮＴＩ）に関連付けるルーティングテーブルを維持するルーティングテーブル構成要素５０６と、異種トランスポートレイヤにおいてコアネットワーク１０６によって受信されたデータを送信するためにダウンストリームリレーｅＮＢとともにリレープロトコルレイヤを確立するリレープロトコル構成要素５０８とを備える。
【００５９】
リレーｅＮＢ１０４は、アップストリームｅＮＢと１つまたは複数のリレーｅＮＢとの間で接続情報を通信する接続プロシージャフォワーディング構成要素２１２と、リレー識別子要求をアップストリームｅＮＢに供給し、１つまたは複数のダウンストリームｅＮＢのための確立されたＩＤ応答をアップストリームｅＮＢから取得するＩＤ要求／応答フォワーディング構成要素５１０と、確立されたリレー識別子と関係するダウンストリームリレーｅＮＢの識別子（たとえば、Ｃ−ＲＮＴＩ）との間の関連付けを記憶するルーティングテーブル構成要素５１２と、リレープロトコルレイヤを介して上位レイヤパケットをアップストリームｅＮＢおよびダウンストリームｅＮＢと通信するリレープロトコル構成要素５１４とを含むことができる。
【００６０】
リレーｅＮＢ１０８は、ワイヤレスネットワークの１つまたは複数の構成要素とともに接続プロシージャを開始する接続要求構成要素２２０と、（たとえば、中間リレーｅＮＢを介して）ドナーｅＮＢにリレーＩＤを要求し、ドナーｅＮＢからリレーＩＤを受信するＩＤ要求構成要素５１６と、接続後、アップストリームリレーｅＮＢから受信したパケットをＵＥまたは他のダウンストリームデバイスにルーティングするパケットルーティング構成要素２２４と、リレープロトコルレイヤを介してアップストリームｅＮＢと通信するリレープロトコル構成要素５１８とを備える。
【００６１】
一例によれば、接続要求構成要素２２０は、存在する場合はリレーｅＮＢ１０４を介して、接続要求をドナーｅＮＢ１０２に送信することによって、ワイヤレスネットワークへの接続を開始することができる。接続プロシージャフォワーディング構成要素２１２は、接続要求を受信し、その要求をドナーｅＮＢ１０２にフォワーディングすることができる。いずれの場合も、接続要求受信構成要素２０２は、その要求を取得し、コアネットワーク１０６において接続プロシージャを開始することができる。たとえば、リレーｅＮＢ１０８は、最初に（たとえば、ランダムアクセスプロシージャによって）、存在する場合はリレーｅＮＢ１０４から通信リソースを受信し、またはリレーｅＮＢ１０４が存在しない場合はドナーｅＮＢ１０２から通信リソースを受信し、（たとえば、ＲＲＣ接続セットアップメッセージを送信することによって）それとともに無線通信を確立することができることを諒解されたい。一例によれば、その接続プロシージャは、ドナーｅＮＢ１０２に接続するＵＥの接続プロシージャと同様のものとすることができる。この点について、コアネットワーク１０６はリレーｅＮＢ１０８を認証することができ、リレーｅＮＢ１０８は、様々なベアラ要求メッセージ、接続受付け／完了メッセージ、ＲＲＣ接続再構成メッセージなどを介して接続できる。接続要求構成要素２２０は、存在する場合はリレーｅＮＢ１０４および／または追加の中間リレーｅＮＢの接続プロシージャフォワーディング構成要素２１２を介してそのようなメッセージを送信し、そのようなメッセージを接続要求受信構成要素２０２から受信することができることを諒解されたい。
【００６２】
接続中に、ＩＤ要求構成要素５１６は、リレープロトコルを介して後続のパケットルーティングをサポートするために、（存在する場合はリレーｅＮＢ１０４を介して）リレー識別子の要求をドナーｅＮＢ１０２に送信することができる。リレーｅＮＢ１０４が存在する場合、ＩＤ要求／応答フォワーディング構成要素５１０は、リレー識別子の要求を受信し、それをドナーｅＮＢ１０２にフォワーディングすることができる。いずれの場合も、ＩＤ要求受信構成要素５０２はリレー識別子の要求を取得することができる。ＩＤ割当て構成要素５０４は、リレーｅＮＢ１０８のリレー識別子を生成するか、または場合によっては選択することができる。リレー識別子は、ランダムに、リレーｅＮＢ１０８に関係する１つまたは複数のパラメータに従って、および／または実質的に任意の割当て論理を使用して、選択できる。リレー識別子が選択されると、ルーティングテーブル構成要素５０６は、リレー識別子を、リレーｅＮＢ１０８への通信経路における次のダウンストリームリレーｅＮＢの識別子とともに記憶することができ、この例では、上記次のダウンストリームリレーｅＮＢは、存在する場合はリレーｅＮＢ１０４である。ＩＤ割当て構成要素５０４はリレー識別子をリレーｅＮＢ１０４に送信することができる。
【００６３】
ＩＤ要求／応答フォワーディング構成要素５１０はリレー識別子を取得することができる。ルーティングテーブル構成要素５１２は、同様に、リレー識別子を次のダウンストリームリレーｅＮＢの識別子とともに記憶することができ、この例では、上記次のダウンストリームリレーｅＮＢはリレーｅＮＢ１０８である。ＩＤ要求／応答フォワーディング構成要素５１０は、その後、リレー識別子をリレーｅＮＢ１０８に供給することができる。追加の中間リレーｅＮＢがリレーｅＮＢ１０８とドナーｅＮＢ１０２との間に存在する場合、追加の中間リレーｅＮＢは、同様に、リレー識別子を受信し、リレー識別子を次のダウンストリームリレーｅＮＢの識別子とともに記憶し、リレー識別子を上記次のダウンストリームリレーｅＮＢに送信することができることを諒解されたい。いずれの場合も、ＩＤ要求構成要素５１６はリレー識別子を受信することができる。リレー識別子を受信した後のある時点で、接続プロシージャは完了することができる。
【００６４】
その後、リレー識別子を利用して、パケットをリレーｅＮＢ１０８にルーティングすることができる。たとえば、ドナーｅＮＢ１０２は、コアネットワーク１０６への要求においてリレー識別子を指定することができる。コアネットワーク１０６は、リレー識別子とともに応答パケットをドナーｅＮＢ１０２に送信することができる。ルーティングテーブル構成要素５０６は、リレー識別子に基づいて、そのパケットについてリレーｅＮＢ１０８への通信経路における次のダウンストリームリレーｅＮＢを判断することができ、この例では、上記次のダウンストリームリレーｅＮＢは、存在する場合はリレーｅＮＢ１０４であり得る。リレープロトコル構成要素５０８は、リレープロトコルパケット中のペイロードとして、受信したパケット中の上位レイヤプロトコルを含む、リレープロトコルレイヤパケットを生成することができる。さらに、リレープロトコル構成要素５０８は、リレープロトコルパケットヘッダをリレー識別子でポピュレートし、リレープロトコルパケットを上記次のダウンストリームリレーｅＮＢに送信することができる。一例では、プロトコルヘッダは以下と同様のフォーマットを有することがある。
【表２】
0005579895.tif 000003
【００６５】
リレーｅＮＢ１０４が存在する場合、リレープロトコル構成要素５１４はリレープロトコルパケットを受信することができる。ルーティングテーブル構成要素５１２はリレープロトコルパケットのヘッダからリレー識別子を取得し、そのパケットを受信するための次のダウンストリームリレーｅＮＢを判断することができ、この例では、上記次のダウンストリームリレーｅＮＢはリレーｅＮＢ１０８である。リレープロトコル構成要素５１４はリレープロトコルパケットをリレーｅＮＢ１０８にフォワーディングすることができる。リレープロトコル構成要素５１４は、いずれの場合も、リレープロトコルパケットを受信し、ヘッダ中のリレー識別子に基づいて、そのパケットがリレーｅＮＢ１０８に関係すると判断することができる。パケットルーティング構成要素２２４は、その後、たとえば、リレー識別子に基づいて、そのパケットをＵＥ１１０にルーティングすることができることを諒解されたい。一例では、これは、リレー識別子をＵＥ１１０または関係するベアラの識別子にマッピングする、同様のルーティングテーブルに基づくことがある。この点について、たとえば、パケットルーティング構成要素２２４は、異種トランスポートレイヤを介してパケットの上位レイヤプロトコルペイロードをＵＥ１１０にルーティングすることができる。同様に、ＵＥ１１０から受信したパケットについて、リレープロトコル構成要素５１８は、リレープロトコルレイヤパケットを生成し、そのヘッダを対応するリレー識別子でポピュレートし、たとえば、リレーｅＮＢ１０４を介してリレープロトコルパケットをドナーｅＮＢ１０２に送信することができる。このようにして、ドナーｅＮＢ１０２は、説明したように、コアネットワーク１０６と通信する際にリレー識別子を指定することができる。
【００６６】
図６を参照すると、ワイヤレスネットワークへの接続中にリレー識別子を要求することを可能にする例示的なワイヤレス通信システム６００が示されている。システム６００は、ワイヤレスネットワークへのアクセスを受信するためにリレーｅＮＢ１  ４０４と通信するリレーｅＮＢ２  ４０２を含む。リレーｅＮＢ１  ４０４は、説明したように、ネットワーク構成要素へのアクセスを受信するためにドナーｅＮＢ４０６と通信する。図示のワイヤレスネットワーク構成要素はＭＭＥ４０８およびＳＧＷ／ＰＧＷ４１０を含む。図示のように、リレーｅＮＢ２  ４０２は接続要求４０２をリレーｅＮＢ１  ４０４に送信することができる。リレーｅＮＢ２  ４０２は、最初に（たとえば、ランダムアクセスプロシージャ、ＲＲＣ接続セットアップメッセージなどによって）リレーｅＮＢ１  ４０４から通信リソースを受信しておくことができることを諒解されたい。リレーｅＮＢ１  ４０４は接続要求４１４をドナーｅＮＢ４０６にフォワーディングすることができる。
【００６７】
また、リレーｅＮＢ２  ４０２は、リレー識別子を確立するためにリレー開始６０２をリレーｅＮＢ１  ４０４に送信することができる。今度は、リレーｅＮＢ１  ４０４はリレーＩＤ要求６０４をドナーｅＮＢ４０６に送信することができる。ドナーｅＮＢ４０６は、接続要求４１６をＭＭＥ４０８にフォワーディングし、リレーｅＮＢ２  ４０２のリレー識別子を作成するか、または場合によっては選択することができる。説明したように、ドナーｅＮＢ４０６は、さらに、後続のパケットルーティングのために、リレー識別子をリレーｅＮＢ１  ４０４の識別子とともに記憶することができる。ドナーｅＮＢ４０６はリレーＩＤ割当て６０６をリレーｅＮＢ１  ４０４に送信することができる。リレーｅＮＢ１  ４０４は、同様に、説明したように、後続のパケットルーティングを可能にするために、リレー識別子をリレーｅＮＢ２  ４０２の識別子とともに記憶することができる。リレーｅＮＢ１  ４０４は、さらに、リレー開始完了６０８をリレーｅＮＢ２  ４０２に送信することができ、また、リレー開始完了６０８は、一例では、リレーｅＮＢ２  ４０２がリレープロトコルを使用して後続のアップリンク送信においてリレー識別子を利用することができるように、リレー識別子を備えることができる。その後、ＭＭＥ４０８は、リレーｅＮＢ２  ４０２がワイヤレスネットワークにアクセスすることが許可されるようにするために、リレーｅＮＢ２  ４０２とともに認証／セキュリティプロシージャ４１８を開始することができる。
【００６８】
ＭＭＥ４０８は、リレーｅＮＢ２  ４０２が許可されたと判断すると、ＳＧＷ／ＰＧＷ４１０へのデフォルトベアラ作成要求４２０を開始することができる。ＳＧＷ／ＰＧＷ４１０は、デフォルトベアラを作成し、デフォルトベアラ作成４２２をＭＭＥ４０８に送信することができる。ＭＭＥ４０８は、それに応じて、接続受付け４２４をドナーｅＮＢ４０６に送信することができる。ドナーｅＮＢ４０６は接続受付け４２６をリレーｅＮＢ１  ４０４にフォワーディングすることができ、リレーｅＮＢ１  ４０４は接続受付け４２８をリレーｅＮＢ２  ４０２にフォワーディングすることができる。リレーｅＮＢ２  ４０２は、接続受付け４２８に対してリレーｅＮＢ１  ４０４への接続完了４３０で肯定応答することができる。リレーｅＮＢ１  ４０４は接続完了４３２をドナーｅＮＢ４０６にフォワーディングすることができ、ドナーｅＮＢ４０６は接続完了４３４をＭＭＥ４０８にフォワーディングすることができる。接続完了４３４を受信すると、ＭＭＥ４０８はベアラ更新要求４３６をＳＧＷ／ＰＧＷ４１０に送信することができ、ＳＧＷ／ＰＧＷ４１０は、ベアラ更新要求４３６に対してＭＭＥ４０８へのベアラ更新応答４３８で肯定応答することができる。
【００６９】
その後、リレーｅＮＢ２  ４０２はＳＧＷ／ＰＧＷ４１０からＩＰアドレス４４０を収集することができる。この点について、リレーｅＮＢ２  ４０２は、ＵＥと同様の接続プロシージャを実行することができる。ただし、追加として、リレーｅＮＢ２  ４０２は、ＳＧＷ／ＰＧＷ４１０から（たとえば、ＳＧＷ／ＰＧＷ４１０を介して運用、管理、および保守（ＯＡＭ）エンティティから）ＥＧＩ４４２を取得することができる。ＥＧＩを受信した後、リレーｅＮＢ２  ４０２は、リレーｅＮＢ１  ４０４とともにＳ１インターフェースを確立するために、Ｓ１セットアップ要求４４４をリレーｅＮＢ１  ４０４に送信することができる。一例では、リレーｅＮＢ２  ４０２は、Ｓ１アプリケーションプロトコル（Ｓ１−ＡＰ）メッセージの後続のルーティングのために、ＥＧＩをＳ１セットアップ要求中に含めることができる。リレーｅＮＢ１  ４０４はＳ１セットアップ要求４４６をドナーｅＮＢ４０６にフォワーディングすることができ、ドナーｅＮＢ４０６はＳ１セットアップ要求４４８をＭＭＥ４０８にフォワーディングすることができる。Ｓ１インターフェースを確立すると、ＭＭＥ４０８はＳ１セットアップ応答４５８をドナーｅＮＢ４０６に送信することができる。ドナーｅＮＢ４０６はＳ１セットアップ応答４６０をリレーｅＮＢ１  ４０４にフォワーディングすることができ、リレーｅＮＢ１  ４０４はＳ１セットアップ応答４６２をリレーｅＮＢ４０２にフォワーディングすることができる。このようにして、リレーｅＮＢ４０２は、ワイヤレスネットワークへの接続中にリレー識別子割当てを要求することができる。
【００７０】
次に図７を参照すると、セルリレー機能を提供する例示的なワイヤレス通信ネットワーク７００が示されている。ネットワーク７００は、説明したように、ワイヤレスネットワークへのアクセスを受信するためにリレーｅＮＢ１０４と通信するＵＥ１１０を含む。リレーｅＮＢ１０４は、ワイヤレスネットワークへのアクセスを与えるためのリレープロトコルを使用してドナーｅＮＢ１０２と通信することができ、説明したように、ドナーｅＮＢ１０２は、リレーｅＮＢ１０４に関係するＭＭＥ７０２および／またはＳＧＷ７０４と通信することができる。ＳＧＷ７０４は、ＳＧＷ７０４および／または追加のＳＧＷへのネットワークアクセスを与えるＰＧＷ７０６に接続または結合することができる。ＰＧＷ７０６は、ＵＥ１１０がネットワークを使用することを認証／許可するためにＰＣＲＦ７０８と通信することができ、ＰＣＲＦ７０８は、ＵＥ１１０および／またはリレーｅＮＢ１０４にアドレス指定を与えるためにＩＭＳ７１０を利用することができる。
【００７１】
一例によれば、ＭＭＥ７０２ならびに／またはＳＧＷ７０４およびＰＧＷ７０６は、クラスタ中の実質的にすべてのリレーｅＮＢにサービスするドナーｅＮＢ１０２に関係することがある。ドナーｅＮＢ１０２はまた、ＰＧＷ７１８が、リレーｅＮＢ１０４と、ドナーｅＮＢ１０２と、ＳＧＷ７１６とを通してそれに対する通信をトンネリングすることを可能にするためにＵＥ１１０にネットワークアドレスを割り当てることができるように、ＵＥ１１０に関係するＳＧＷ７１６およびＰＧＷ７１８と通信することができる。さらに、たとえば、ＳＧＷ７１６は、ＵＥ１１０との間で制御プレーン通信を可能にするためにＭＭＥ７１４と通信することができる。ＭＭＥ７０２とＭＭＥ７１４とは、一例では、同じＭＭＥとすることができることを諒解されたい。ＰＧＷ７１８は、同様に、ＵＥ１１０を認証／許可するためにＰＣＲＦ７０８と通信することができ、ＰＣＲＦ７０８はＩＭＳ７１０と通信することができる。さらに、ＰＧＷ７１８は、ＩＭＳ７１０および／またはインターネット７１２と直接通信することができる。
【００７２】
一例では、ＵＥ１１０は、説明したように、Ｅ−ＵＴＲＡ−Ｕｕインターフェースを介してリレーｅＮＢ１０４と通信することができ、リレーｅＮＢ１０４は、本明細書で説明するように、リレープロトコルを使用してＥ−ＵＴＲＡ−Ｕｕインターフェースまたは他のインターフェースを使用してドナーｅＮＢ１０２と通信することができる。ドナーｅＮＢ１０２は、図示のように、Ｓ１−ＭＭＥインターフェースを使用してＭＭＥ７０２と、Ｓ１−Ｕインターフェースを介してＳＧＷ７０４およびＰＧＷ７０６と通信する。一例では、説明したように、ＭＭＥ７０２またはＳＧＷ７０４／ＰＧＷ７０６に対する、リレーｅＮＢ１０４から受信した通信は、リレープロトコルを介し得、リレープロトコルヘッダ中でＭＭＥ７０２またはＳＧＷ７０４／ＰＧＷ７０６のＩＰアドレスを有し得る。ドナーｅＮＢ１０２は、そのＩＰアドレスおよび／またはリレープロトコルのペイロードタイプに従ってパケットを適宜にルーティングすることができる。別の例では、リレーｅＮＢ１０４からのパケットは、前に割り当てられたＴＥＩＤまたはその部分を備えることができる。さらに、Ｓ１−ＭＭＥおよびＳ１−Ｕインターフェースを介して使用されるトランスポートレイヤは、説明したように、ドナーｅＮＢ１０２において終了される。この点について、ＭＭＥ７０２またはＳＧＷ７０４からのリレーｅＮＢ１０４に対する通信を受信すると、ドナーｅＮＢ１０２は、たとえば、新しいリレーレイヤプロトコルパケット、または他のプロトコルレイヤパケットを定義し、アプリケーションレイヤ通信を新しいプロトコルパケットにおいて（一例では、Ｅ−ＵＴＲＡ−Ｕｕインターフェースを介して）リレーｅＮＢ１０４に送信することによって、トランスポートレイヤからアプリケーションレイヤを分離することができる。ドナーｅＮＢ１０２は、パケット中のＴＥＩＤまたはヘッダ中のリレー識別子に基づいてパケットをリレーｅＮＢ１０４（および／または、説明したように、１つまたは複数の異種リレーｅＮＢ）に送信することができる。
【００７３】
制御プレーン通信をリレーｅＮＢ１０４からＭＭＥ７０２に送信すると、ドナーｅＮＢ１０２は、（たとえば、Ｓ１−ＡＰメッセージ中で）リレーｅＮＢ１０４の識別子を示すことができ、ＭＭＥ７０２は、ドナーｅＮＢ１０２への応答通信中でその識別子を送信することができる。データプレーン通信をリレーｅＮＢ１０４からＳＧＷ７０４に送信するとき、ドナーｅＮＢ１０２は、リレーｅＮＢ１０４（またはＵＥ１１０または１つまたは複数の関係するベアラ）を識別するために、ＧＴＰ−ＵヘッダのＴＥＩＤ中にリレーｅＮＢ１０４（またはＵＥ１１０または１つまたは複数の関係するベアラ）の識別子を挿入することができる。これは、上記で説明したように、ドナーｅＮＢ１０２によってリレーｅＮＢ１０４のために生成された識別子とすることができ、それにより、ドナーｅＮＢ１０２は、リレーｅＮＢ１０４または１つまたは複数のダウンストリームリレーｅＮＢが、変換されたパケットを受信すべきであると判断することができるようになる。たとえば、これは、ドナーｅＮＢ１０２におけるルーティングテーブル中の識別子の少なくとも一部分の位置を特定することに少なくとも部分的に基づくことがある。さらに、一例では、説明したように、ヘッダを圧縮することができる。図示のように、Ｓ１１インターフェースを使用して、ＭＭＥ７０２はＳＧＷ７０４と、ＭＭＥ７１４はＳＧＷ７１６と通信することができる。ＰＧＷ７０６および７１８は、Ｇｘインターフェースを介してＰＣＲＦ７０８と通信することができる。さらに、ＰＣＲＦ７０８は、Ｒｘインターフェースを使用してＩＭＳ７１０と通信することができ、ＰＧＷ７１８は、ＳＧｉインターフェースを使用してＩＭＳ７１０および／またはインターネット７１２と通信することができる。
【００７４】
図８を参照すると、パケットルーティングのためにＴＥＩＤを使用したデータ（たとえば、ユーザ）プレーン通信のためのセルリレー機能を提供するようにワイヤレスネットワークにおいて通信することを可能にする例示的なプロトコルスタック８００が示されている。Ｌ１レイヤと、ＭＡＣレイヤと、ＲＬＣレイヤと、ＰＤＣＰレイヤと、ＩＰレイヤとを備えるＵＥプロトコルスタック８０２が示されている。Ｌ１レイヤと、ＭＡＣレイヤと、ＲＬＣレイヤと、ＰＤＣＰレイヤとを有するリレーｅＮＢ（ＲｅＮＢ）アクセスリンクプロトコルスタック８０４、ならびに、（たとえば、前述のように、ＴＥＩＤをＲｅＮＢアドレスでポピュレートすることによって）バックホール上でパケットをルーティングすることを可能にするために、Ｌ１レイヤと、ＰＤＣＰ／ＲＬＣ／ＭＡＣレイヤと、一例では圧縮レイヤとすることができるＣ−ＧＴＰ−Ｕ／ＵＤＰ／ＩＰレイヤとを有するＲｅＮＢバックホールリンクプロトコルスタック８０６が示されている。また、Ｌ１レイヤと、ＰＤＣＰ／ＲＬＣ／ＭＡＣレイヤと、Ｃ−ＧＴＰ−Ｕ／ＵＤＰ／ＩＰレイヤとを有するドナーｅＮＢ（ＤｅＮＢ）アクセスリンクプロトコルスタック８０８、ならびに、ＰＧＷ／ＳＧＷによって割り当てられるアドレスを使用してＰＧＷ／ＳＧＷとの通信を維持するために、Ｌ１レイヤと、Ｌ２レイヤと、ＩＰレイヤと、ＵＤＰレイヤと、ＧＴＰ−Ｕレイヤとを有するＤｅＮＢバックホールリンクプロトコルスタック８１０が示されている。ＰＧＷ／ＳＧＷプロトコルスタック８１２は、Ｌ１レイヤと、Ｌ２レイヤと、ＤｅＮＢに割り当てられるアドレスに関係するＩＰレイヤと、ＵＤＰレイヤと、ＧＴＰ−Ｕレイヤと、ＵＥに割り当てられるアドレスに関係する別のＩＰレイヤとを有する。
【００７５】
一例によれば、ＵＥは、ＰＧＷ／ＳＧＷへのアクセスを受信するためにＲｅＮＢと通信することができる。この点について、ＵＥは、プロトコルスタック８０２とプロトコルスタック８０４との間に示すように、ＥＵＴＲＡ−Ｕｕインターフェースを使用して、Ｌ１レイヤと、ＭＡＣレイヤと、ＲＬＣレイヤと、ＰＤＣＰレイヤとを介してＲｅＮＢと通信することができる。ＵＥは、プロトコルスタック８０２とプロトコルスタック８１２との間に示すように、ＲｅＮＢおよび他のエンティティを介してＩＰレイヤ通信をＰＧＷ／ＳＧＷにトンネリングすることができ、ＰＧＷ／ＳＧＷはＵＥにＩＰアドレスを割り当てる。そのようなトンネリングを可能にするために、ＲｅＮＢは、プロトコルスタック８０６とプロトコルスタック８０８との間に示すように、Ｓ１−Ｕ−Ｒインターフェースを使用してＬ１レイヤと、ＰＤＣＰ／ＲＬＣ／ＭＡＣレイヤと、Ｃ−ＧＴＰ−Ｕ／ＵＤＰ／ＩＰレイヤとを介してＤｅＮＢと通信することができる。説明したように、Ｓ１−Ｕ−Ｒインターフェースは、ＤｅＮＢとＰＧＷ／ＳＧＷとの間の通信とは異なるトランスポートレイヤを利用する、新たに定義されたインターフェースとすることができる。この点について、ＲｅＮＢとＤｅＮＢとの間の通信は、さらに、ＧＴＰ−Ｕ、ＵＤＰ／ＩＰヘッダの圧縮バージョンを使用する。その上、この圧縮ヘッダは、本明細書で説明するように、戻り通信を可能にするために、本明細書で説明するように、ＧＴＰ−Ｕヘッダ中でＲｅＮＢのＴＥＩＤを示すことができる。ＤｅＮＢは、プロトコルスタック８１０とプロトコルスタック８１２との間に示すように、トランスポートレイヤからＣ−ＧＴＰ−Ｕ／ＵＤＰ／ＩＰヘッダを分離し、Ｓ１−Ｕインターフェースを介してＬ１およびＬ２物理レイヤの上の別個のＧＴＰ−Ｕレイヤと、ＵＤＰレイヤと、ＩＰレイヤとを介してＰＧＷと通信することができる。説明したように、同じことがダウンリンク通信に当てはまり、ＤｅＮＢが、トランスポートレイヤからＧＴＰレイヤと、ＵＤＰレイヤと、ＩＰレイヤとを分離し、それらをＣ−ＧＴＰ−Ｕ／ＵＤＰ／ＩＰヘッダに圧縮し、ＰＤＣＰ／ＲＬＣ／ＭＡＣレイヤとＬ１レイヤとを介してＲｅＮＢに送信する。ＤｅＮＢは、説明したように、パケットをＲｅＮＢにルーティングするためにＧＴＰ−Ｕヘッダ中のＴＥＩＤを使用することができる。一例では、これは、バックホール上でのＵＤＰ／ＩＰルーティングなどの必要を軽減する。
【００７６】
図９を参照すると、リレープロトコルを使用したデータ（たとえば、ユーザ）プレーン通信のためのセルリレー機能を提供するようにワイヤレスネットワークにおいて通信することを可能にする例示的なプロトコルスタック９００が示されている。Ｌ１レイヤと、ＭＡＣレイヤと、ＲＬＣレイヤと、ＰＤＣＰレイヤと、ＩＰレイヤとを備えるＵＥプロトコルスタック９０２が示されている。Ｌ１レイヤと、ＭＡＣレイヤと、ＲＬＣレイヤと、ＰＤＣＰレイヤとを有するリレーｅＮＢ１（ＲｅＮＢ）アクセスリンクプロトコルスタック９０４、ならびに、バックホール上でパケットを通信することを可能にするために、Ｌ１レイヤと、ＭＡＣレイヤと、ＲＬＣレイヤと、ＰＤＣＰレイヤと、リレープロトコル（ＲＰ）レイヤと、一例では圧縮レイヤとすることができるＣ−ＧＴＰ−Ｕ／ＵＤＰ／ＩＰレイヤとを有するＲｅＮＢ１バックホールリンクプロトコルスタック９０６が示されている。Ｌ１レイヤと、ＭＡＣレイヤと、ＲＬＣレイヤと、ＰＤＣＰレイヤと、ＲＰレイヤとを有する中間ＲｅＮＢ２アクセスリンクプロトコルスタック９０８、ならびに、同じレイヤを有する、中間ＲｅＮＢ２のためのバックホールリンクプロトコルスタック９１０が示されている。
【００７７】
また、Ｌ１レイヤと、ＭＡＣレイヤと、ＲＬＣレイヤと、ＰＤＣＰレイヤと、ＲＰレイヤと、Ｃ−ＧＴＰ／ＵＤＰ／ＩＰレイヤとを有するＤｅＮＢアクセスリンクプロトコルスタック９０８、ならびに、ＰＧＷ／ＳＧＷによって割り当てられるアドレスを使用してＰＧＷ／ＳＧＷとの通信を維持するために、Ｌ１レイヤと、Ｌ２レイヤと、ＵＤＰ／ＩＰレイヤと、ＧＴＰ−Ｕレイヤとを有するＤｅＮＢバックホールリンクプロトコルスタック９１０が示されている。ＰＧＷ／ＳＧＷプロトコルスタック９１２は、Ｌ１レイヤと、Ｌ２レイヤと、ＤｅＮＢに割り当てられるアドレスに関係するＵＤＰ／ＩＰレイヤと、ＧＴＰ−Ｕレイヤと、ＵＥに割り当てられるアドレスに関係する別のＩＰレイヤとを有する。
【００７８】
一例によれば、ＵＥは、ＰＧＷ／ＳＧＷへのアクセスを受信するためにＲｅＮＢ１と通信することができる。この点について、ＵＥは、プロトコルスタック９０２とプロトコルスタック９０４との間に示すように、ＥＵＴＲＡ−Ｕｕインターフェースを使用して、Ｌ１レイヤと、ＭＡＣレイヤと、ＲＬＣレイヤと、ＰＤＣＰレイヤとを介してＲｅＮＢ１と通信することができる。ＵＥは、プロトコルスタック９０２とプロトコルスタック９１６との間に示すように、ＲｅＮＢ１および他のエンティティを介してＩＰレイヤ通信をＰＧＷ／ＳＧＷにトンネリングすることができ、ＰＧＷ／ＳＧＷはＵＥにＩＰアドレスを割り当てる。そのようなトンネリングを可能にするために、ＲｅＮＢ１は、プロトコルスタック９０６とプロトコルスタック９０８との間に示すように、本明細書で説明するように、Ｓ１−Ｕ−Ｒインターフェース（またはリレープロトコルを使用して通信するための他の新しいインターフェース）を使用して、Ｌ１レイヤ、ＭＡＣレイヤ、ＲＬＣレイヤ、ＰＤＣＰレイヤの上のＲＰを介してＲｅＮＢ２と通信する。さらに、ＲＰは、プロトコルスタック９０６とプロトコルスタック９０８との間に示すように、前述のように、ＲＰペイロード中で上位レイヤＣ−ＧＴＰ−Ｕ／ＵＤＰ／ＩＰレイヤを異種ＲＰに搬送することができる。その上、説明したように、ＲＰヘッダは、ＲｅＮＢ１の識別子、ＰＧＷ／ＳＧＷのＩＰアドレス、ＲＰペイロード中のＣ−ＧＴＰ−Ｕ／ＵＤＰ／ＩＰデータを示すプロトコルタイプなどを含むことができる。
【００７９】
ＲｅＮＢ２、および他の中間ＲｅＮＢは、プロトコルスタック９１０とプロトコルスタック９１２との間に示すように、ＲＰ通信をＤｅＮＢにフォワーディングすることができる。この例では、ＤｅＮＢは、プロトコルスタック９１４とプロトコルスタック９１６との間に示すように、下位レイヤを介してＲＰパケットを受信し、ペイロードからＣ−ＧＴＰ−Ｕ／ＵＤＰ／ＩＰパケットを抽出し、Ｓ１−Ｕインターフェースを介してＬ１およびＬ２物理レイヤの上の別個のＧＴＰ−Ｕレイヤと、ＵＤＰレイヤと、ＩＰレイヤとを介してＰＧＷと通信することができる。一例では、ＤｅＮＢは、ＲＰパケットヘッダからのリレー識別子をＧＴＰ−Ｕ通信中に含めることができる。したがって、説明したように、ＰＧＷ／ＳＧＷプロトコルスタック９１２からのダウンリンク通信はリレー識別子を含むことができる。この点について、ＤｅＮＢバックホールリンクプロトコルスタック９１４を介してＰＧＷ／ＳＧＷプロトコルスタック９１６からダウンリンク通信を受信すると、ＤｅＮＢアクセスリンクプロトコルスタック９１２は、ＰＧＷ／ＳＧＷプロトコルスタック９１６を介して受信したリレー識別子を備えるヘッダをもつＲＰパケットと、ペイロードとしての圧縮ＧＴＰ−Ｕ／ＵＤＰ／ＩＰパケットとを生成することができる。ＤｅＮＢアクセスリンクプロトコルスタック９１２は、ＲｅＮＢ２バックホールリンクプロトコルスタック９１２を介してＲＰパケットを送信することができ、ＲｅＮＢ２バックホールリンクプロトコルスタック９１２は、説明したように、ＲＰヘッダ中のリレー識別子に基づいて、ＲｅＮＢ２アクセスリンクプロトコルスタック９０８を介してＲＰパケットをＲｅＮＢバックホールリンクプロトコルスタック９０６にフォワーディングすることができる。ＲｅＮＢ１バックホールリンクプロトコルスタック９０６は、ＲＰパケットのＣ−ＧＴＰ−Ｕ／ＵＤＰ／ＩＰペイロードを取得し、それをＵＥプロトコルスタック９０２にフォワーディングすることができ、ＲＰパケットペイロードは、説明したように、いくつかのタイプがある。
【００８０】
図１０〜図１１を参照すると、接続プロシージャ中にＴＥＩＤまたはリレー識別子を受信することに関係する方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、図示のすべての行為が必要とされるわけではない。
【００８１】
図１０を参照すると、ネットワーク接続プロシージャ中に後続のリレーパケットルーティングのために識別子を確立することを可能にする例示的な方法１０００が示されている。１００２において、アップストリームｅＮＢを使用してワイヤレスネットワークへの接続プロシージャを開始する。説明したように、ネットワーク接続はドナーｅＮＢを介して要求でき、それは、一例では、中間リレーｅＮＢを介して要求することを含むことができる。さらに、その接続プロシージャは、ＵＥ接続プロシージャと同様のものとすることができる。１００４において、接続中にアップストリームｅＮＢとともに識別子の少なくとも一部分を確立する。上記識別子は、前述のように、パケットルーティングを可能にするために利用できる。たとえば、上記識別子は、ＴＥＩＤまたはその部分、リレー識別子などとすることができる。さらに、上記識別子またはその部分は、説明したように、アップストリームｅＮＢに識別子割当てを要求すること、アップストリームｅＮＢに特定の識別子を使用することを要求することなどに従って確立できる。１００６において、上記識別子の上記部分に少なくとも部分的に基づいてアップストリームｅＮＢから１つまたは複数のパケットを受信する。したがって、説明したように、接続中に確立された識別子は、アップストリームｅＮＢからのパケットをルーティングするために利用できる。
【００８２】
図１１を参照すると、ネットワーク接続プロシージャ中に後続のパケットルーティングのためにダウンストリームｅＮＢに識別子を供給することを可能にする例示的な方法１１００が示されている。１１０２において、リレーｅＮＢのための接続プロシージャ中に上記リレーｅＮＢの識別子の少なくとも一部分を取得する。説明したように、上記識別子は、たとえば、生成するか、またはアップストリームｅＮＢから受信することができる。上記識別子が生成される場合、説明したように、上記識別子は、ネットワーク接続プロシージャ中にリレーｅＮＢから受信した要求に基づいて生成できる。１１０４において、上記識別子の上記部分を、次のダウンストリームリレーｅＮＢの識別子とともに記憶する。これは、上記識別子またはその部分をもつパケットを受信したときに上記リレーｅＮＢへの通信経路における上記次のダウンストリームリレーｅＮＢへの後続のルーティングをサポートすることができる。１１０６において、上記識別子の上記部分を上記次のダウンストリームリレーｅＮＢに送信する。説明したように、上記次のダウンストリームリレーｅＮＢは、一例では、同様に上記識別子を記憶し、フォワーディングすることができる。
【００８３】
本明細書で説明する１つまたは複数の態様によれば、リレーｅＮＢの識別子またはその一部分を生成すること、識別子に関係する１つまたは複数のネットワークノードを判断すること、および／または本明細書で説明する他の態様に関して、推論を行うことができることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に近接して相関するか否かにかかわらず、ならびに事象およびデータが１つまたは複数の事象およびデータの発生源に由来するかどうかにかかわらず、観測された事象および／または記憶された事象データのセットから新しい事象またはアクションが構成される。
【００８４】
次に図１２を参照すると、本明細書で提示する様々な実施形態によるワイヤレス通信システム１２００が示されている。システム１２００は、複数のアンテナグループを含むことができる基地局１２０２を備える。たとえば、１つのアンテナグループはアンテナ１２０４および１２０６を含み、別のグループはアンテナ１２０８および１２１０を備え、さらなるグループはアンテナ１２１２および１２１４を含むことができる。アンテナグループごとに２つのアンテナが示されているが、グループごとにより多いまたはより少ないアンテナを利用することができる。基地局１２０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００８５】
基地局１２０２は、モバイルデバイス１２１６およびモバイルデバイス１２２２など１つまたは複数のモバイルデバイスと通信することができるが、基地局１２０２は、モバイルデバイス１２１６および１２２２と同様の実質的にいかなる数のモバイルデバイスとも通信することができることを諒解されたい。モバイルデバイス１２１６および１２２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１２００を介して通信するための他の適切なデバイスとすることができる。図示のように、モバイルデバイス１２１６は、アンテナ１２１２および１２１４と通信しており、アンテナ１２１２および１２１４は、順方向リンク１２１８を介して情報をモバイルデバイス１２１６に送信し、逆方向リンク１２２０を介してモバイルデバイス１２１６から情報を受信する。さらに、モバイルデバイス１２２２は、アンテナ１２０４および１２０６と通信しており、アンテナ１２０４および１２０６は、順方向リンク１２２４を介して情報をモバイルデバイス１２２２に送信し、逆方向リンク１２２６を介してモバイルデバイス１２２２から情報を受信する。周波数分割複信（ＦＤＤ）システムでは、たとえば、順方向リンク１２１８は、逆方向リンク１２２０によって使用される周波数帯とは異なる周波数帯を利用し、順方向リンク１２２４は、逆方向リンク１２２６によって採用される周波数帯とは異なる周波数帯を採用することができる。さらに、時分割複信（ＴＤＤ）システムでは、順方向リンク１２１８および逆方向リンク１２２０は共通の周波数帯を利用し、順方向リンク１２２４および逆方向リンク１２２６は共通の周波数帯を利用することができる。
【００８６】
アンテナの各グループおよび／またはそれらが通信するように指定されたエリアを、基地局１２０２のセクタと呼ぶことができる。たとえば、基地局１２０２によってカバーされるエリアのセクタ中のモバイルデバイスに通信するようにアンテナグループを設計することができる。順方向リンク１２１８および１２２４を介した通信では、基地局１２０２の送信アンテナは、モバイルデバイス１２１６および１２２２についての順方向リンク１２１８および１２２４の信号対雑音比を向上させるためにビームフォーミングを利用することができる。さらに、基地局１２０２が、関連するカバレージ中にランダムに散在するモバイルデバイス１２１６および１２２２に送信するためにビームフォーミングを利用する間は、基地局が単一のアンテナを介してその基地局のすべてのモバイルデバイスに送信する場合と比較して、隣接セル内のモバイルデバイスは干渉を受けにくいことがある。さらに、モバイルデバイス１２１６および１２２２は、ピアツーピアまたはアドホック技術を使用して互いに直接通信することができる（図示せず）。
【００８７】
一例によれば、システム１２００は多入力多出力（ＭＩＭＯ）通信システムとすることができる。さらに、システム１２００は、ＦＤＤ、ＦＤＭ、ＴＤＤ、ＴＤＭ、ＣＤＭなど、通信チャネル（たとえば、順方向リンク、逆方向リンク、．．．）を分割する実質的にどんなタイプの複信技法でも利用することができる。さらに、チャネル上での複数のデバイスとの同時通信を可能にするために通信チャネルを直交させ、一例では、この点についてＯＦＤＭを利用することができる。したがって、チャネルは、ある時間期間にわたる周波数の部分に分割できる。さらに、フレームは、時間期間の集合にわたる周波数の部分として定義でき、したがって、たとえば、フレームはいくつかのＯＦＤＭシンボルを備えることができる。基地局１２０２は、様々なタイプのデータに対して作成できるチャネルを介してモバイルデバイス１２１６および１２２２に通信することができる。たとえば、チャネルは、様々なタイプの一般的通信データ、制御データ（たとえば、他のチャネルの品質情報、チャネルを介して受信されたデータに対する肯定応答インジケータ、干渉情報、基準信号など）などを通信するために作成できる。
【００８８】
図１３に、例示的なワイヤレス通信システム１３００を示す。ワイヤレス通信システム１３００には、簡潔のために、１つの基地局１３１０と、１つのモバイルデバイス１３５０とを示してある。ただし、システム１３００は、２つ以上の基地局および／または２つ以上のモバイルデバイスを含むことができ、追加の基地局および／またはモバイルデバイスは、以下で説明する例示的な基地局１３１０およびモバイルデバイス１３５０と実質的に同様または異なるものとすることができることを諒解されたい。さらに、基地局１３１０および／またはモバイルデバイス１３５０は、それらの間のワイヤレス通信を可能にするために、本明細書で説明するシステム（図１〜図７および図１２）、プロトコルスタック（図８〜図９）および／または方法（図１０〜図１１）を採用することができることを諒解されたい。
【００８９】
基地局１３１０において、いくつかのデータストリームのトラフィックデータがデータソース１３１２から送信（ＴＸ）データプロセッサ１３１４に供給される。一例によれば、各データストリームは、それぞれのアンテナを介して送信できる。ＴＸデータプロセッサ１３１４は、トラフィックデータストリーム用に選択された特定の符号化方式に基づいて、そのデータストリームをフォーマット化し、符号化し、インターリーブして、符号化データを与える。
【００９０】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス１３５０において使用できる。各データストリームの多重化されたパイロットおよび符号化データは、そのデータストリーム用に選択された特定の変調方式（たとえば、２値位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータレート、符号化、および変調は、プロセッサ１３３０によって実行または与えられる命令によって判断できる。
【００９１】
データストリームの変調シンボルはＴＸ  ＭＩＭＯプロセッサ１３２０に供給でき、ＴＸ  ＭＩＭＯプロセッサ１３２０は、（たとえば、ＯＦＤＭ用に）変調シンボルをさらに処理することができる。次いで、ＴＸ  ＭＩＭＯプロセッサ１３２０は、ＮT個の変調シンボルストリームをＮT個の送信機（ＴＭＴＲ）１３２２ａ〜１３２２ｔに供給する。様々な態様では、ＴＸ  ＭＩＭＯプロセッサ１３２０は、データストリームのシンボルと、シンボルの送信元のアンテナとにビームフォーミング重みを適用する。
【００９２】
各送信機１３２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。さらに、送信機１３２２ａ〜１３２２ｔからのＮT個の変調信号は、それぞれＮT個のアンテナ１３２４ａ〜１３２４ｔから送信される。
【００９３】
モバイルデバイス１３５０において、送信された変調信号はＮR個のアンテナ１３５２ａ〜１３５２ｒによって受信され、各アンテナ１３５２からの受信信号は、それぞれの受信機（ＲＣＶＲ）１３５４ａ〜１３５４ｒに供給される。各受信機１３５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【００９４】
ＲＸデータプロセッサ１３６０は、特定の受信機処理技法に基づいてＮR個の受信機１３５４からＮR個の受信シンボルストリームを受信し、処理して、ＮT個の「検出」シンボルストリームを与えることができる。ＲＸデータプロセッサ１３６０は、各検出シンボルストリームを復調し、デインターリーブし、復号して、データストリームのトラフィックデータを復元することができる。ＲＸデータプロセッサ１３６０による処理は、基地局１３１０においてＴＸ  ＭＩＭＯプロセッサ１３２０およびＴＸデータプロセッサ１３１４によって実行される処理を補足するものである。
【００９５】
プロセッサ１３７０は、上述のように、どのプリコーディング行列を利用すべきかを周期的に判断することができる。さらに、プロセッサ１３７０は、行列インデックス部分とランク値部分とを備える逆方向リンクメッセージを作成することができる。
【００９６】
逆方向リンクメッセージは、通信リンクおよび／または受信データストリームに関する様々なタイプの情報を備えることができる。逆方向リンクメッセージは、データソース１３３６からいくつかのデータストリームのトラフィックデータをも受信するＴＸデータプロセッサ１３３８によって処理され、変調器１３８０によって変調され、送信機１３５４ａ〜１３５４ｒによって調整され、基地局１３１０に戻される。
【００９７】
基地局１３１０において、モバイルデバイス１３５０からの変調信号は、アンテナ１３２４によって受信され、受信機１３２２によって調整され、復調器１３４０によって復調され、ＲＸデータプロセッサ１３４２によって処理されて、モバイルデバイス１３５０によって送信された逆方向リンクメッセージが抽出される。さらに、プロセッサ１３３０は、抽出されたメッセージを処理して、ビームフォーミング重みを判断するためにどのプリコーディング行列を使用すべきかを判断することができる。
【００９８】
プロセッサ１３３０および１３７０は、それぞれ基地局１３１０およびモバイルデバイス１３５０における動作を指示（たとえば、制御、調整、管理など）することができる。それぞれのプロセッサ１３３０および１３７０は、プログラムコードおよびデータを記憶するメモリ１３３２および１３７２に関連付けできる。プロセッサ１３３０および１３７０はまた、それぞれ、アップリンクとダウンリンクとに関して周波数推定値とインパルス応答推定値とを導き出すために計算を実行することができる。
【００９９】
本明細書で説明する態様は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せ内で実装できる。
【０１００】
態様は、ソフトウェア、ファームウェア、ミドルウェアまたはマイクロコード、プログラムコードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェアパッケージ、クラス、あるいは命令、データ構造またはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【０１０１】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【０１０２】
図１４を参照すると、ワイヤレスネットワーク接続プロシージャ中に識別子を確立することを可能にするシステム１４００が示されている。たとえば、システム１４００は、少なくとも部分的に基地局、モバイルデバイスなどの内部に常駐することができる。システム１４００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１４００は、連携して動作することができる電気構成要素の論理グルーピング１４０２を含む。たとえば、論理グルーピング１４０２は、アップストリームｅＮＢを介してワイヤレスネットワークに接続するための電気構成要素１４０４を含むことができる。たとえば、説明したように、その接続プロシージャは、ドナーｅＮＢに対する１つまたは複数の中間リレーｅＮＢを介して開始することができ、ＵＥ接続プロシージャと同様のものとすることができる。さらに、論理グルーピング１４０２は、接続中にアップストリームｅＮＢとともに識別子の少なくとも一部分を確立するための電気構成要素１４０６を含むことができる。上記識別子の上記部分は、説明したように、ＴＥＩＤ、リレープロトコル通信において使用するリレー識別子などに関係することがある。
【０１０３】
さらに、上記識別子の上記部分は、説明したように、存在する場合は中間リレーｅＮＢを介したドナーｅＮＢからのパケットの後続のルーティングを可能にすることができる。その上、論理グルーピング１４０２は、上記識別子の上記部分に少なくとも部分的に基づいてアップストリームｅＮＢから受信した１つまたは複数のパケットをフォワーディングするための電気構成要素１４０８を含むことができる。さらに、論理グルーピング１４０２は、アップストリームｅＮＢのための上位レイヤプロトコルデータを備えるペイロードをもつリレープロトコルレイヤパケットを生成するための電気構成要素１４１０を含むことができる。電気構成要素１４１０は上記識別子をリレープロトコルレイヤパケットのヘッダ中に含めることができることを諒解されたい。さらに、システム１４００は、電気構成要素１４０４、１４０６、１４０８、および１４１０に関連する機能を実行するための命令を保持するメモリ１４１２を含むことができる。メモリ１４１２の外部にあるものとして示されているが、電気構成要素１４０４、１４０６、１４０８、および１４１０の１つまたは複数は、メモリ１４１２の内部に存在することができることを理解されたい。
【０１０４】
図１５を参照すると、リレーｅＮＢへの後続のパケットルーティングを可能にするためにワイヤレスネットワーク接続プロシージャ中にリレーｅＮＢ識別子を割り当てることを可能にするシステム１５００が示されている。たとえば、システム１５００は、少なくとも部分的に基地局、モバイルデバイスなどの内部に常駐することができる。システム１５００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１５００は、連携して動作することができる電気構成要素の論理グルーピング１５０２を含む。たとえば、論理グルーピング１５０２は、ワイヤレスネットワーク接続プロシージャ中にダウンストリームリレーｅＮＢの識別子の少なくとも一部分を取得するための電気構成要素１５０４を含むことができる。たとえば、説明したように、上記識別子の上記部分は、（たとえば、上記ダウンストリームリレーｅＮＢからの要求に基づいて）生成し、アップストリームｅＮＢから受信することなどができる。さらに、論理グルーピング１５０２は、上記識別子の上記部分を、上記ダウンストリームリレーｅＮＢへの通信経路における次のダウンストリームリレーｅＮＢの識別子とともに記憶するための電気構成要素１５０６を含むことができる。たとえば、それらの識別子は、上記次のダウンストリームリレーｅＮＢを介した上記ダウンストリームリレーｅＮＢへの後続のパケットルーティングを可能にするために、ルーティングテーブルにおいて関連付けることができる。説明したように、電気構成要素１５０４は、さらに、上記識別子の同様の記憶およびフォワーディングのために、上記識別子を上記次のダウンストリームリレーｅＮＢに送信することができることを諒解されたい。
【０１０５】
その上、論理グルーピング１５０２は、接続プロシージャ中に上記識別子の上記部分の要求を上記ダウンストリームリレーｅＮＢから受信するための電気構成要素１５０８を含むことができる。さらに、論理グルーピング１５０２は、受信したパケットから上記識別子の上記部分を取得し、そのパケットを上記次のダウンストリームリレーｅＮＢに送信するための電気構成要素１５１０を含むことができる。説明したように、これは、上記識別子に基づくパケットルーティングを可能にする。さらに、システム１５００は、電気構成要素１５０４、１５０６、１５０８、および１５１０に関連する機能を実行するための命令を保持するメモリ１５１２を含むことができる。メモリ１５１２の外部にあるものとして示されているが、電気構成要素１５０４、１５０６、１５０８、および１５１０の１つまたは複数は、メモリ１５１２の内部に存在することができることを理解されたい。
【０１０６】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【０１０７】
さらに、本明細書で開示する態様に関して説明した方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別構成要素として常駐することができる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１０８】
１つまたは複数の態様では、説明する機能は、ハードウェア、ソフトウェア、ファームウェア、またはそれらの組合せで実装することができる。ソフトウェアで実装する場合、機能は、１つまたは複数の命令またはコードとしてコンピュータ可読媒体上に記憶するか、あるいはコンピュータ可読媒体上で送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用でき、コンピュータによってアクセスできる、任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１０９】
上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に本件出願当初の特許請求の範囲を付記する。
［Ｃ１］
アップストリーム進化型ノードＢ（ｅＮＢ）を使用してワイヤレスネットワークへの接続プロシージャを開始することと、
前記接続プロシージャ中に前記アップストリームｅＮＢとともに識別子の少なくとも一部分を確立することと、
前記識別子の前記部分に少なくとも部分的に基づいて前記アップストリームｅＮＢから１つまたは複数のパケットを受信することと
を備える、方法。
［Ｃ２］
前記アップストリームｅＮＢに前記識別子の前記部分の確立を要求することをさらに備える、［Ｃ１］に記載の方法。
［Ｃ３］
前記識別子の前記部分を前記確立することが、前記識別子の確立を前記要求することに対する応答を前記アップストリームｅＮＢから受信することを含む、［Ｃ２］に記載の方法。
［Ｃ４］
前記識別子がトンネルエンドポイント識別子（ＴＥＩＤ）である、［Ｃ３］に記載の方法。
［Ｃ５］
前記識別子の確立を前記要求することが、特定の識別子の確立を要求することを含む、［Ｃ２］に記載の方法。
［Ｃ６］
前記特定の識別子が利用できるかどうかを示す応答を前記アップストリームｅＮＢから受信することをさらに備える、［Ｃ５］に記載の方法。
［Ｃ７］
前記アップストリームｅＮＢに通信するためのリレープロトコルレイヤパケットを生成することをさらに備える、［Ｃ１］に記載の方法。
［Ｃ８］
前記リレープロトコルレイヤパケットのヘッダを前記識別子でポピュレートすることをさらに備える、［Ｃ７］に記載の方法。
［Ｃ９］
アップストリーム進化型ノードＢ（ｅＮＢ）にワイヤレスネットワークへの接続を要求することと、
接続中に前記アップストリームｅＮＢとともに識別子の少なくとも一部分を確立することと、
前記識別子の前記部分に少なくとも部分的に基づいて前記アップストリームｅＮＢから１つまたは複数のパケットを受信することと
を行うように構成された少なくとも１つのプロセッサと、
前記少なくとも１つのプロセッサに結合されたメモリと
を備える、ワイヤレス通信装置。
［Ｃ１０］
前記少なくとも１つのプロセッサが、前記アップストリームｅＮＢに前記識別子の前記部分の確立を要求するようにさらに構成された、［Ｃ９］に記載のワイヤレス通信装置。
［Ｃ１１］
前記少なくとも１つのプロセッサが、前記要求に対する応答を前記アップストリームｅＮＢから受信することに少なくとも部分的に基づいて前記識別子の前記部分を確立する、［Ｃ１０］に記載のワイヤレス通信装置。
［Ｃ１２］
前記少なくとも１つのプロセッサが、少なくとも部分的に特定の識別子の確立を要求することによって前記識別子の前記部分の確立を要求する、［Ｃ１１］に記載のワイヤレス通信装置。
［Ｃ１３］
前記少なくとも１つのプロセッサは、前記特定の識別子が確立されるかどうかに関する指示を前記アップストリームｅＮＢから受信するようにさらに構成された、［Ｃ１２］に記載のワイヤレス通信装置。
［Ｃ１４］
前記少なくとも１つのプロセッサが、上位レイヤプロトコルペイロードを備える、前記アップストリームｅＮＢに通信するためのリレープロトコルレイヤパケットを生成するようにさらに構成された、［Ｃ９］に記載のワイヤレス通信装置。
［Ｃ１５］
前記少なくとも１つのプロセッサが、前記リレープロトコルレイヤパケットのヘッダを前記識別子の少なくとも前記部分でポピュレートするようにさらに構成された、［Ｃ１４］に記載のワイヤレス通信装置。
［Ｃ１６］
アップストリーム進化型ノードＢ（ｅＮＢ）を介してワイヤレスネットワークに接続するための手段と、
接続中に前記アップストリームｅＮＢとともに識別子の少なくとも一部分を確立するための手段と、
前記識別子の前記部分に少なくとも部分的に基づいて前記アップストリームｅＮＢから受信した１つまたは複数のパケットをフォワーディングするための手段と
を備える、装置。
［Ｃ１７］
前記識別子の前記部分を確立するための前記手段が、前記識別子の前記部分の確立要求を前記アップストリームｅＮＢから送信する、［Ｃ１６］に記載の装置。
［Ｃ１８］
前記識別子の前記部分を確立するための前記手段が、前記確立要求に対する応答として前記識別子の前記部分を受信する、［Ｃ１７］に記載の装置。
［Ｃ１９］
前記識別子がトンネルエンドポイント識別子（ＴＥＩＤ）である、［Ｃ１８］に記載の装置。
［Ｃ２０］
前記確立要求が特定の識別子に関係する、［Ｃ１７］に記載の装置。
［Ｃ２１］
前記識別子の前記部分を確立するための前記手段は、前記特定の識別子が前記識別子の前記部分であるかどうかを示す応答を前記アップストリームｅＮＢからさらに受信する、［Ｃ２０］に記載の装置。
［Ｃ２２］
前記アップストリームｅＮＢのための上位レイヤプロトコルデータを備えるペイロードをもつリレープロトコルレイヤパケットを生成するための手段をさらに備える、［Ｃ１６］に記載の装置。
［Ｃ２３］
前記リレープロトコルレイヤパケットを生成するための前記手段が、前記識別子の前記部分を前記リレープロトコルレイヤパケットのためのヘッダ中に含める、［Ｃ２２］に記載の装置。
［Ｃ２４］
アップストリーム進化型ノードＢ（ｅＮＢ）を使用してワイヤレスネットワークへの接続プロシージャを開始することを少なくとも１つのコンピュータに行わせるためのコードと、
前記接続プロシージャ中に前記アップストリームｅＮＢとともに識別子の少なくとも一部分を確立することを前記少なくとも１つのコンピュータに行わせるためのコードと、
前記識別子の前記部分に少なくとも部分的に基づいて前記アップストリームｅＮＢから１つまたは複数のパケットを受信することを前記少なくとも１つのコンピュータに行わせるためのコードと
を備えるコンピュータ可読媒体
を備える、コンピュータプログラム製品。
［Ｃ２５］
前記コンピュータ可読媒体が、前記アップストリームｅＮＢに前記識別子の前記部分の確立を要求することを前記少なくとも１つのコンピュータに行わせるためのコードをさらに備える、［Ｃ２４］に記載のコンピュータプログラム製品。
［Ｃ２６］
前記識別子の前記部分を確立することを前記少なくとも１つのコンピュータに行わせるための前記コードが、前記識別子の確立を前記要求することに対する応答において前記識別子の前記部分を前記アップストリームｅＮＢから受信する、［Ｃ２５］に記載のコンピュータプログラム製品。
［Ｃ２７］
前記識別子の確立を要求することを前記少なくとも１つのコンピュータに行わせるための前記コードが、特定の識別子の確立を要求する、［Ｃ２５］に記載のコンピュータプログラム製品。
［Ｃ２８］
前記コンピュータ可読媒体は、前記特定の識別子が利用できるかどうかを示す応答を前記アップストリームｅＮＢから受信することを前記少なくとも１つのコンピュータに行わせるためのコードをさらに備える、［Ｃ２７］に記載のコンピュータプログラム製品。
［Ｃ２９］
前記コンピュータ可読媒体が、前記アップストリームｅＮＢに通信するためのリレープロトコルレイヤパケットを生成することを前記少なくとも１つのコンピュータに行わせるためのコードをさらに備える、［Ｃ２４］に記載のコンピュータプログラム製品。
［Ｃ３０］
前記コンピュータ可読媒体が、前記リレープロトコルレイヤパケットのヘッダを前記識別子でポピュレートすることを前記少なくとも１つのコンピュータに行わせるためのコードをさらに備える、［Ｃ２９］に記載のコンピュータプログラム製品。
［Ｃ３１］
アップストリーム進化型ノードＢ（ｅＮＢ）とともにワイヤレスネットワークへの接続プロシージャを実行する接続要求構成要素と、
接続中に前記アップストリームｅＮＢとともに識別子の少なくとも一部分を確立するＩＤ要求構成要素と、
前記識別子の前記部分に少なくとも部分的に基づいて前記アップストリームｅＮＢから受信した１つまたは複数のパケットをフォワーディングするパケットルーティング構成要素と
を備える、装置。
［Ｃ３２］
前記ＩＤ要求構成要素が、前記識別子の前記部分の確立要求を前記アップストリームｅＮＢから送信する、［Ｃ３１］に記載の装置。
［Ｃ３３］
前記ＩＤ要求構成要素が、前記確立要求に対する応答として前記識別子の前記部分を受信する、［Ｃ３２］に記載の装置。
［Ｃ３４］
前記ＩＤ要求構成要素がトンネルエンドポイント識別子（ＴＥＩＤ）要求構成要素であり、前記識別子がＴＥＩＤである、［Ｃ３３］に記載の装置。
［Ｃ３５］
前記確立要求が特定の識別子に関係する、［Ｃ３２］に記載の装置。
［Ｃ３６］
前記ＩＤ要求構成要素は、前記特定の識別子が前記識別子の前記部分であるかどうかを示す応答を前記アップストリームｅＮＢからさらに受信する、［Ｃ３５］に記載の装置。
［Ｃ３７］
前記アップストリームｅＮＢのための上位レイヤプロトコルデータを備えるペイロードをもつリレープロトコルレイヤパケットを生成するリレープロトコル構成要素をさらに備える、［Ｃ３１］に記載の装置。
［Ｃ３８］
前記リレープロトコル構成要素が、前記識別子の前記部分を前記リレープロトコルレイヤパケットのためのヘッダ中に含める、［Ｃ３７］に記載の装置。
［Ｃ３９］
ワイヤレスネットワークへの、ダウンストリームリレー進化型ノードＢ（ｅＮＢ）のための接続プロシージャ中に前記ダウンストリームリレーｅＮＢの識別子の少なくとも一部分を取得することと、
前記識別子の前記部分を、前記ダウンストリームリレーｅＮＢへの通信経路における次のダウンストリームリレーｅＮＢの識別子とともにルーティングテーブルに記憶することと、
前記接続プロシージャの一部として前記識別子の前記部分を前記次のダウンストリームリレーｅＮＢに送信することと
を備える、方法。
［Ｃ４０］
前記識別子の前記部分を取得することが、前記ダウンストリームリレーｅＮＢの前記識別子の前記部分を生成することを含む、［Ｃ３９］に記載の方法。
［Ｃ４１］
前記接続プロシージャ中に前記識別子の前記部分の要求を前記ダウンストリームリレーｅＮＢから受信することをさらに備える、［Ｃ４０］に記載の方法。
［Ｃ４２］
前記識別子の前記部分を前記取得することが、前記識別子の前記部分をアップストリームｅＮＢから受信することを含む、［Ｃ３９］に記載の方法。
［Ｃ４３］
受信したパケットから前記識別子の前記部分を取得することと、
前記識別子の前記部分に関係する、前記ルーティングテーブル中の前記次のダウンストリームリレーｅＮＢの前記識別子の位置を特定することと、
前記受信したパケットを前記次のダウンストリームリレーｅＮＢに送信することと
をさらに備える、［Ｃ３９］に記載の方法。
［Ｃ４４］
前記識別子の前記部分を前記取得することが、前記受信したパケットのヘッダから前記識別子の前記部分を取得することを含み、前記受信したパケットがリレープロトコルレイヤパケットである、［Ｃ４３］に記載の方法。
［Ｃ４５］
ダウンストリームリレー進化型ノードＢ（ｅＮＢ）のためのワイヤレスネットワーク接続プロシージャ中に前記ダウンストリームリレーｅＮＢの識別子の少なくとも一部分を取得することと、
前記識別子の前記部分と、前記ダウンストリームリレーｅＮＢへの通信経路における次のダウンストリームリレーｅＮＢの識別子との間の関連付けをルーティングテーブルに記憶することと、
前記ワイヤレスネットワーク接続プロシージャ中に前記識別子の前記部分を前記次のダウンストリームリレーｅＮＢに送信することと
を行うように構成された少なくとも１つのプロセッサと、
前記少なくとも１つのプロセッサに結合されたメモリと
を備える、ワイヤレス通信装置。
［Ｃ４６］
前記少なくとも１つのプロセッサが、少なくとも部分的に前記ダウンストリームリレーｅＮＢの前記識別子の前記部分を生成することによって前記識別子の前記部分を取得する、［Ｃ４５］に記載のワイヤレス通信装置。
［Ｃ４７］
前記少なくとも１つのプロセッサが、前記ワイヤレスネットワーク接続プロシージャ中に前記ダウンストリームリレーｅＮＢの前記識別子の前記部分の要求を受信するようにさらに構成された、［Ｃ４６］に記載のワイヤレス通信装置。
［Ｃ４８］
前記少なくとも１つのプロセッサが、前記識別子の前記部分をアップストリームｅＮＢから取得する、［Ｃ４５］に記載のワイヤレス通信装置。
［Ｃ４９］
前記少なくとも１つのプロセッサが、
アップストリームノードから受信したパケットから前記識別子の前記部分を取得することと、
前記識別子の前記部分に関係する、前記ルーティングテーブル中の前記次のダウンストリームリレーｅＮＢの前記識別子の位置を特定することと、
前記パケットを前記次のダウンストリームリレーｅＮＢに送信することと
を行うようにさらに構成された、［Ｃ４５］に記載のワイヤレス通信装置。
［Ｃ５０］
前記少なくとも１つのプロセッサが、前記パケットのヘッダから前記識別子の前記部分を取得し、前記パケットがリレープロトコルレイヤパケットである、［Ｃ４９］に記載のワイヤレス通信装置。
［Ｃ５１］
ワイヤレスネットワーク接続プロシージャ中にダウンストリームリレー進化型ノードＢ（ｅＮＢ）の識別子の少なくとも一部分を取得するための手段と、
前記識別子の前記部分を、前記ダウンストリームリレーｅＮＢへの通信経路における次のダウンストリームリレーｅＮＢの識別子とともにルーティングテーブルに記憶するための手段であって、取得するための前記手段が、さらに、前記識別子の前記部分を前記次のダウンストリームリレーｅＮＢにフォワーディングする、記憶するための手段と
を備える、装置。
［Ｃ５２］
前記識別子の前記部分を取得するための前記手段が、前記ダウンストリームリレーｅＮＢの前記識別子の前記部分を生成する、［Ｃ５１］に記載の装置。
［Ｃ５３］
前記ワイヤレスネットワーク接続プロシージャ中に前記識別子の前記部分の要求を前記ダウンストリームリレーｅＮＢから受信するための手段をさらに備える、［Ｃ５２］に記載の装置。
［Ｃ５４］
前記識別子の前記部分を取得するための前記手段が、前記識別子の前記部分をアップストリームｅＮＢから受信する、［Ｃ５１］に記載の装置。
［Ｃ５５］
受信したパケットから前記識別子の前記部分を取得し、前記受信したパケットを前記次のダウンストリームリレーｅＮＢに送信するための手段をさらに備え、前記識別子の前記部分を記憶するための前記手段が、前記識別子の前記部分に関連する、前記ルーティングテーブル中の前記次のダウンストリームリレーｅＮＢの前記識別子の位置を特定する、［Ｃ５１］に記載の装置。
［Ｃ５６］
前記受信したパケットから前記識別子の前記部分を取得するための前記手段が、前記受信したパケットのヘッダから前記識別子の前記部分を取得し、前記受信したパケットがリレープロトコルレイヤパケットである、［Ｃ５５］に記載の装置。
［Ｃ５７］
ワイヤレスネットワークへの、ダウンストリームリレー進化型ノードＢ（ｅＮＢ）のための接続プロシージャ中に前記ダウンストリームリレーｅＮＢの識別子の少なくとも一部分を取得することを少なくとも１つのコンピュータに行わせるためのコードと、
前記識別子の前記部分を、前記ダウンストリームリレーｅＮＢへの通信経路における次のダウンストリームリレーｅＮＢの識別子とともにルーティングテーブルに記憶することを前記少なくとも１つのコンピュータに行わせるためのコードと、
前記接続プロシージャの一部として前記識別子の前記部分を前記次のダウンストリームリレーｅＮＢに送信することを前記少なくとも１つのコンピュータに行わせるためのコードと
を備えるコンピュータ可読媒体
を備える、コンピュータプログラム製品。
［Ｃ５８］
前記識別子の前記部分を取得することを前記少なくとも１つのコンピュータに行わせるための前記コードが、前記ダウンストリームリレーｅＮＢの前記識別子の前記部分を生成する、［Ｃ５７］に記載のコンピュータプログラム製品。
［Ｃ５９］
前記コンピュータ可読媒体が、前記接続プロシージャ中に前記識別子の前記部分の要求を前記ダウンストリームリレーｅＮＢから受信することを前記少なくとも１つのコンピュータに行わせるためのコードをさらに備える、［Ｃ５８］に記載のコンピュータプログラム製品。
［Ｃ６０］
前記識別子の前記部分を取得することを前記少なくとも１つのコンピュータに行わせるための前記コードが、前記識別子の前記部分をアップストリームｅＮＢから受信する、［Ｃ５７］に記載のコンピュータプログラム製品。
［Ｃ６１］
前記コンピュータ可読媒体が、
受信したパケットから前記識別子の前記部分を取得することを前記少なくとも１つのコンピュータに行わせるためのコードと、
前記識別子の前記部分に関係する、前記ルーティングテーブル中の前記次のダウンストリームリレーｅＮＢの前記識別子の位置を特定することを前記少なくとも１つのコンピュータに行わせるためのコードと、
前記受信したパケットを前記次のダウンストリームリレーｅＮＢに送信することを前記少なくとも１つのコンピュータに行わせるためのコードと
をさらに備える、［Ｃ５７］に記載のコンピュータプログラム製品。
［Ｃ６２］
前記識別子の前記部分を取得することを前記少なくとも１つのコンピュータに行わせるためのコードが、前記受信したパケットのヘッダから前記識別子の前記部分を取得し、前記受信したパケットがリレープロトコルレイヤパケットである、［Ｃ６１］に記載のコンピュータプログラム製品。
［Ｃ６３］
ワイヤレスネットワーク接続プロシージャ中にダウンストリームリレー進化型ノードＢ（ｅＮＢ）の識別子の少なくとも一部分を取得するＩＤ割当て構成要素と、
前記識別子の前記部分を、前記ダウンストリームリレーｅＮＢへの通信経路における次のダウンストリームリレーｅＮＢの識別子とともにルーティングテーブルに記憶するルーティングテーブル構成要素であって、前記ＩＤ割当て構成要素が、さらに、前記識別子の前記部分を前記次のダウンストリームリレーｅＮＢにフォワーディングする、ルーティングテーブル構成要素と
を備える、装置。
［Ｃ６４］
前記ＩＤ割当て構成要素が、前記ダウンストリームリレーｅＮＢの前記識別子の前記部分を生成する、［Ｃ６３］に記載の装置。
［Ｃ６５］
前記ワイヤレスネットワーク接続プロシージャ中に前記識別子の前記部分の要求を前記ダウンストリームリレーｅＮＢから受信するＩＤ要求受信構成要素をさらに備える、［Ｃ６４］に記載の装置。
［Ｃ６６］
前記ＩＤ割当て構成要素が、前記識別子の前記部分をアップストリームｅＮＢから受信するＩＤ要求／応答フォワーディング構成要素である、［Ｃ６３］に記載の装置。
［Ｃ６７］
受信したパケットから前記識別子の前記部分を取得し、前記受信したパケットを前記次のダウンストリームリレーｅＮＢに送信するリレープロトコル構成要素をさらに備え、前記ルーティングテーブル構成要素が、前記識別子の前記部分に関連する、前記ルーティングテーブル中の前記次のダウンストリームリレーｅＮＢの前記識別子の位置を特定する、［Ｃ６３］に記載の装置。
［Ｃ６８］
前記ルーティングテーブル構成要素が、前記受信したパケットのヘッダから前記識別子の前記部分を取得し、前記受信したパケットがリレープロトコルレイヤパケットである、［Ｃ６７］に記載の装置。
［Ｃ６９］
前記ＩＤ割当て構成要素がトンネルエンドポイント識別子（ＴＥＩＤ）割当て構成要素であり、前記識別子がＴＥＩＤである、［Ｃ６３］に記載の装置。
【図１】
0005579895.tif 000004
【図２】
0005579895.tif 000005
【図３】
0005579895.tif 000006
【図４】
0005579895.tif 000007
【図５】
0005579895.tif 000008
【図６】
0005579895.tif 000009
【図７】
0005579895.tif 000010
【図８】
0005579895.tif 000011
【図９】
0005579895.tif 000012
【図１０】
0005579895.tif 000013
【図１１】
0005579895.tif 000014
【図１２】
0005579895.tif 000015
【図１３】
0005579895.tif 000016
【図１４】
0005579895.tif 000017
【図１５】
0005579895.tif 000018